(57)【特許請求の範囲】
【請求項１】
伝送すべきデータを符号多重化して複数のサブキャリアを用いて無線信号を送信するマルチキャリア直接拡散送信機と、
該マルチキャリア直接拡散送信機に対向して配置され、符号多重化されて複数のサブキャリアを用いて送信された無線信号を受信するマルチキャリア直接拡散受信機とを有し、
該マルチキャリア直接拡散送信機が、
ｍ本（ｍは２以上の自然数を表す）のサブキャリアの中から品質測定結果のよいｎ本（ｎはｍ以下の自然数を表す）のサブキャリアを選択する第１選択部と、
該第１選択部に接続され、該伝送すべきデータにパイロット信号を挿入し符号多重化し、選択された該ｎ本のサブキャリアのそれぞれを用いて無線信号を送信するとともに、選択されなかった（ｍ−ｎ）本のサブキャリアにてパイロット信号を送信する送信部とをそなえ、
該マルチキャリア直接拡散受信機が、
該マルチキャリア直接拡散送信機が送信した該ｍ本のサブキャリアを受信し伝送データを検波するとともに、周期的に伝送されるパイロット信号を抽出する受信部と、
該受信部に接続され、該ｎ本のサブキャリアのそれぞれに分割されて挿入されたデータを抽出する抽出部と、
該受信部に接続され、該パイロット信号を用いて該ｍ本のサブキャリアのそれぞれについて品質測定を行なって測定結果を出力する測定部と、
該測定部に接続され、該ｍ本のサブキャリアの中から、データが伝送されている該ｎ本のサブキャリアを、受信データに基づいて選択し、該測定結果を送信側に周期的に送信する第２選択部とをそなえて構成されたことを特徴とする、マルチキャリア直接拡散送受信システム。
【請求項２】
該マルチキャリア直接拡散送信機の該送信部が、伝送データを重畳したサブキャリア番号に関する選択情報を、伝送データ中の伝送速度に関する制御情報の領域に挿入するように構成されるとともに、
該マルチキャリア直接拡散受信機の該抽出部が、該制御情報に基づき該ｎ本のサブキャリアを選択するように構成されたことを特徴とする、請求項１記載のマルチキャリア直接拡散送受信システム。
【請求項３】
該マルチキャリア直接拡散送信機の該送信部が、伝送データを重畳したサブキャリア番号に関する選択情報を、伝送データの領域に挿入するように構成されるとともに、
該マルチキャリア直接拡散受信機の該抽出部が、該伝送データに基づき該ｎ本のサブキャリアを選択するように構成されたことを特徴とする、請求項１記載のマルチキャリア直接拡散送受信システム。
【請求項４】
伝送すべきデータを符号多重化して複数のサブキャリアを用いて無線信号を送信するマルチキャリア直接拡散送信部と、
対向して配置された対向マルチキャリア直接拡散送信機が符号多重化して複数のサブキャリアを用いて送信した無線信号を受信するマルチキャリア直接拡散受信部とを有し、
該マルチキャリア直接拡散送信部が、
ｍ本（ｍは２以上の自然数を表す）のサブキャリアの中から品質測定結果のよいｎ本（ｎはｍ以下の自然数を表す）のサブキャリアを選択する第１選択部と、
該第１選択部に接続され、該伝送すべきデータにパイロット信号を挿入し符号多重化し、選択された該ｎ本のサブキャリアのそれぞれを用いて無線信号を送信するとともに、選択されなかった（ｍ−ｎ）本のサブキャリアにてパイロット信号を送信する送信部とをそなえ、
該マルチキャリア直接拡散受信部が、
該対向マルチキャリア直接拡散送信機が符号多重化して該ｍ本のサブキャリアを用いて送信した無線信号を受信し伝送データを検波するとともに、周期的に伝送されるパイロット信号を抽出する受信部と、
該受信部に接続され、該ｎ本のサブキャリアのそれぞれに分割されて挿入されたデータを抽出する抽出部と、
該受信部に接続され、該パイロット信号を用いて該ｍ本のサブキャリアのそれぞれについての品質を測定して測定結果を出力する測定部と、
該測定部に接続され、該ｍ本のサブキャリアの中から、データが伝送されている該ｎ本のサブキャリアを、受信データに基づいて選択し、該測定結果を送信側に周期的に送信する第２選択部とをそなえて構成されたことを特徴とする、マルチキャリア直接拡散送受信機。
【請求項５】
ｍ本（ｍは２以上の自然数を表す）のサブキャリアの中から受信側における品質測定結果に基づきｎ本（ｎはｍ以下の自然数を表す）のサブキャリアを選択する第１選択部と、
該第１選択部に接続され、伝送すべきデータにパイロット信号を挿入し符号多重化し、選択された該ｎ本のサブキャリアのそれぞれを用いて無線信号を送信するとともに、選択されなかった（ｍ−ｎ）本のサブキャリアにてパイロット信号を送信する送信部とをそなえて構成されたことを特徴とする、マルチキャリア直接拡散送信機。
【請求項６】
符号多重化されてｍ本（ｍは２以上の自然数を表す）のサブキャリアを用いて送信された無線信号を受信し伝送データを検波するとともに、周期的に伝送されるパイロット信号を抽出する受信部と、
該受信部に接続され、ｎ（ｎはｍ以下の自然数を表す）本のサブキャリアのそれぞれに分割されて挿入されたデータを抽出する抽出部と、
該受信部に接続され、該パイロット信号を用いて該ｍ本のサブキャリアのそれぞれについての品質を測定して測定結果を出力する測定部と、
該測定部に接続され、該ｍ本のサブキャリアの中から、データが伝送されている該ｎ本のサブキャリアを、受信データに基づいて選択し、該測定結果を送信側に周期的に送信する第２選択部とをそなえて構成されたことを特徴とする、マルチキャリア直接拡散受信機。
【発明の詳細な説明】
【０００１】
本発明は、例えば移動無線通信システムに用いて好適な、マルチキャリア直接拡散送受信システム，マルチキャリア直接拡散送受信機，マルチキャリア直接拡散送信機及びマルチキャリア直接拡散受信機に関する。
【０００２】
【従来の技術】
近年のマルチメディアサービス需要の高まりとともに、無線を用いた高速なデータ通信が要求されるが、移動無線通信においては、電波の反射、回折及び散乱等によって、マルチパス伝搬路が形成される。この環境下においては、伝送すべきデータが、２Ｍｂｐｓ〜２０Ｍｂｐｓもの伝送速度を有する場合には、周波数選択性フェージングの影響が顕著になる。この周波数選択性フェージングは、符号間干渉を引き起こし、通信品質の著しい劣化を招く。このため、周波数選択性フェージングへの対策の1つとして、マルチキャリア方式が用いられている。
【０００３】
このマルチキャリア方式とは、伝送すべきデータを複数の低速なビットレートを有する複数のデータに分割し、それらの分割された複数のデータを、複数のサブキャリアを用いて伝送する方式である。
図４１（ａ）は単一キャリアによるスペクトラム配置の模式図であり、１００Ｍｂｐｓの速度を有するデータを伝送するのに、単一のキャリアを用いるので、符号間干渉が生じる。一方、図４１（ｂ）は、マルチキャリアによるスペクトラム配置の模式図であるが、１００Ｍｂｐｓの速度を有するデータは、例えば４個の２５Ｍｂｐｓのデータに分割されて、複数のサブキャリアを用いて伝送される。従って、周波数選択性フェージングの影響を受けていた帯域が、フラットフェージングと等価となるとともに、それ以外の帯域は、フェージングの影響を受けなくなるので、伝送品質が向上する。また、７Ｍｂｐｓのデータを３本のサブキャリアで送信することもある。
【０００４】
一方、次世代の移動通信方式の規格として、符号分割多元接続方式(以下、ＣＤＭＡ方式と称する：Code Division Multiple Access)が用いられている。このＣＤＭＡ方式は、多数の加入者を収容でき、耐フェージング性及び耐干渉性に優れ、また、周波数効率が高いという特徴を有する。
このため、マルチキャリア方式と、ＣＤＭＡ方式とが組み合わせられた、マルチキャリア直接拡散ＣＤＭＡ伝送方式が提案されている（例えば、"Broadband OFDM/DS-CDMA Packet Transmission in Frequency Selective Fading Channel," Y.Hanada, S.Abeta, M.Sawahashi, and F.Adachi, PIMRC'99, pp.911-915,Osaka,September,1999）。
【０００５】
このマルチキャリア直接拡散ＣＤＭＡ伝送方式の長所は、次のようになる。すなわち、サブキャリア数を多くとることによって、１サブキャリア当たりのシンボル長（シンボル１個の継続時間）が長くなり占有帯域幅が狭くなるので、周波数効率が向上し、また、各サブキャリアに対する、データ割り当てを自由に行なえるので伝送効率が向上し、さらに、各サブキャリアの変調方式を変更させることによって、データの階層化が可能となり、各サブキャリアが周波数軸上で密に配置されるので、周波数効率が向上する。
【０００６】
一方、マルチキャリア直接拡散ＣＤＭＡ伝送方式によると、送信側と受信側とが、ともに、サブキャリア毎に、同一の通過特性を有するルートロールオフフィルタを設ける必要がある。このフィルタ回路の規模は、大きいので装置の小型化がしにくくなるとともに、消費電力の低減が困難になる。
このため、マルチキャリア方式の１方式として、ＯＦＤＭ方式（Orthogonal Frequency Division Multiplexing方式：直交周波数分割多重方式）が採用されることもある。このＯＦＤＭ方式は、マルチキャリア方式の一種であり、相互に直交するサブキャリアを、周波数上にて多数の変調波が重なり合うように配置し、その配置された各サブキャリアに、伝送すべきデータを分割して搬送する方式である。
【０００７】
このＯＦＤＭ方式の長所は、周波数選択性フェージングに強く、また、サブキャリアが相互に直交しているので理論上、周波数利用効率を最大にできる点である。すなわち、伝送帯域幅とビットレートとが一定という条件の下で単一キャリア方式と比較すると、伝送すべきデータが多数のサブキャリアに分割されて送信されるので、シンボル長が単一キャリア方式と比べて長くなり、符号間干渉を回避できる。加えて、各サブキャリアが相互に直交しているので、各サブキャリア毎に自由に送信電力又は変調方式を変更することができ、また、情報の階層化が容易になる。
【０００８】
さらに、このＯＦＤＭ方式は、サブキャリアを正確に直交させるために必要な部品が開発され、また、ＦＦＴ（Fast Fourier Transform）を用いたディジタル信号処理用ＬＳＩや、高速なアナログ・ディジタル変換器等が開発されている。これにより、実用上、送信機は、多数のサブキャリア周波数を正確に発生できるようになり、また、受信機も、伝送路特性の変動に対して、サブキャリアを正確に復調できるようになった。
【０００９】
なお、特開平１０−１９０５２０号公報（以下、刊行物１と称する）には、異なるシンボルレートの情報を直接系列スペクトラム拡散によって、符号分割多重接続するスペクトラム拡散通信システムが記載されている。具体的には、この刊行物１に記載された技術は、自己相関特性に優れた周期の長い符号を組み合わせる符号構成法を提示し、異なる伝送速度の情報を、異なる拡散率で同じ周波数帯域に同時に多重化しても、互いに干渉を与えないようにするスペクトラム拡散通信システムに関する技術である。
【特許文献１】
特開平１０−１９０５２０号公報
【００１０】
【発明が解決しようとする課題】
しかしながら、マルチキャリア方式は、各サブキャリアの変調信号を合成して無線信号を送信するので、各変調信号の位相が、それぞれ、同相となる場合には、送信される変調信号は、非常に大きなピーク電力を有する。従って、ＦＤＭＡシステムにおいては、ピーク送信電力と平均送信電力との差が大きくなり、この差は、送信アンプと受信アンプとのそれぞれの使用効率が悪化する。すなわち、線形領域と非線形領域とを有するアンプの増幅特性において、線形領域を広く確保できず、また、送信電力を低減することが困難であるという課題がある。
【００１１】
そして、通常のアンプを用いた場合は、電力増幅器や伝送路の非線形性により相互変調歪が発生するので、伝送特性が大きく劣化する課題がある。
さらに、上記の刊行物１には、送信電力に関する技術は、何ら記載されていない。
本発明は、このような課題に鑑み創案されたもので、周波数選択性フェージング下のマルチキャリア直接拡散送受信システムにおいて、伝送品質の高いサブキャリア帯域を用いてデータ伝送し、また、伝送品質の低いサブキャリア帯域を用いたデータ伝送を行なわないようにして、高品質かつ高速データ伝送を可能とするとともに、ピーク送信電力と平均送信電力との差を小さくし、アンプの使用効率を向上させるような、マルチキャリア直接拡散送受信システム，マルチキャリア直接拡散送受信機，マルチキャリア直接拡散送信機及びマルチキャリア直接拡散受信機を提供することを目的とする。
【００１２】
【課題を解決するための手段】
このため、本発明のマルチキャリア直接拡散送受信システムは、伝送すべきデータを符号多重化して複数のサブキャリアを用いて無線信号を送信するマルチキャリア直接拡散送信機と、マルチキャリア直接拡散送信機に対向して配置され、符号多重化されて複数のサブキャリアを用いて送信された無線信号を受信するマルチキャリア直接拡散受信機とを有し、マルチキャリア直接拡散送信機が、ｍ本（ｍは２以上の自然数を表す）のサブキャリアの中から品質測定結果のよいｎ本（ｎはｍ以下の自然数を表す）のサブキャリアを選択する第１選択部と、第１選択部に接続され、伝送すべきデータにパイロット信号を挿入し符号多重化し、選択されたｎ本のサブキャリアのそれぞれを用いて無線信号を送信するとともに、選択されなかった（ｍ−ｎ）本のサブキャリアにてパイロット信号を送信する送信部とをそなえ、マルチキャリア直接拡散受信機が、マルチキャリア直接拡散送信機が送信したｍ本のサブキャリアを受信し伝送データを検波するとともに、周期的に伝送されるパイロット信号を抽出する受信部と、受信部に接続され、ｎ本のサブキャリアのそれぞれに分割されて挿入されたデータを抽出する抽出部と、受信部に接続され、パイロット信号を用いてｍ本のサブキャリアのそれぞれについて品質測定を行なって測定結果を出力する測定部と、測定部に接続され、ｍ本のサブキャリアの中から、データが伝送されているｎ本のサブキャリアを、受信データに基づいて選択し、測定結果を送信側に周期的に送信する第２選択部とをそなえて構成されたことを特徴としている。
【００１３】
また、このマルチキャリア直接拡散送信機の送信部は、伝送データを重畳したサブキャリア番号に関する選択情報を、伝送データ中の伝送速度に関する制御情報の領域に挿入するように構成されるとともに、マルチキャリア直接拡散受信機の抽出部が、制御情報に基づきｎ本のサブキャリアを選択するように構成されてもよく、伝送データを重畳したサブキャリア番号に関する選択情報を、伝送データの領域に挿入するように構成されるとともに、マルチキャリア直接拡散受信機の抽出部が、伝送データに基づきｎ本のサブキャリアを選択するように構成されてもよい。
【００１４】
さらに、マルチキャリア直接拡散受信機における測定部は、品質を受信パイロット信号のシンボル点からのずれの合計値に基づいて測定するように構成することもでき、電界強度を表す受信信号強度表示により、品質を測定するように構成することもできる。
そして、本発明のマルチキャリア直接拡散送受信機は、伝送すべきデータを符号多重化して複数のサブキャリアを用いて無線信号を送信するマルチキャリア直接拡散送信部と、対向して配置された対向マルチキャリア直接拡散送信機が符号多重化して複数のサブキャリアを用いて送信した無線信号を受信するマルチキャリア直接拡散受信部とを有し、マルチキャリア直接拡散送信部が、ｍ本（ｍは２以上の自然数を表す）のサブキャリアの中から品質測定結果のよいｎ本（ｎはｍ以下の自然数を表す）のサブキャリアを選択する第１選択部と、第１選択部に接続され、伝送すべきデータにパイロット信号を挿入し符号多重化し、選択されたｎ本のサブキャリアのそれぞれを用いて無線信号を送信するとともに、選択されなかった（ｍ−ｎ）本のサブキャリアにてパイロット信号を送信する送信部とをそなえ、マルチキャリア直接拡散受信部が、対向マルチキャリア直接拡散送信機が符号多重化してｍ本のサブキャリアを用いて送信した無線信号を受信し伝送データを検波するとともに、周期的に伝送されるパイロット信号を抽出する受信部と、受信部に接続され、ｎ本のサブキャリアのそれぞれに分割されて挿入されたデータを抽出する抽出部と、受信部に接続され、パイロット信号を用いてｍ本のサブキャリアのそれぞれについての品質を測定して測定結果を出力する測定部と、測定部に接続され、ｍ本のサブキャリアの中から、データが伝送されているｎ本のサブキャリアを、受信データに基づいて選択し、測定結果を送信側に周期的に送信する第２選択部とをそなえて構成されたことを特徴としている。
【００１５】
また、本発明のマルチキャリア直接拡散送信機は、ｍ本（ｍは２以上の自然数を表す）のサブキャリアの中から受信側における品質測定結果に基づきｎ本（ｎはｍ以下の自然数を表す）のサブキャリアを選択する第１選択部と、第１選択部に接続され、伝送すべきデータにパイロット信号を挿入し符号多重化し、選択されたｎ本のサブキャリアのそれぞれを用いて無線信号を送信するとともに、選択されなかった（ｍ−ｎ）本のサブキャリアにてパイロット信号を送信する送信部とをそなえて構成されたことを特徴としている。
【００１６】
加えて、本発明のマルチキャリア直接拡散受信機は、符号多重化されてｍ本（ｍは２以上の自然数を表す）のサブキャリアを用いて送信された無線信号を受信し伝送データを検波するとともに、周期的に伝送されるパイロット信号を抽出する受信部と、受信部に接続され、ｎ本（ｎはｍ以下の自然数を表す）のサブキャリアのそれぞれに分割されて挿入されたデータを抽出する抽出部と、受信部に接続され、パイロット信号を用いてｍ本のサブキャリアのそれぞれについての品質を測定して測定結果を出力する測定部と、測定部に接続され、ｍ本のサブキャリアの中から、データが伝送されているｎ本のサブキャリアを、受信データに基づいて選択し、測定結果を送信側に周期的に送信する第２選択部とをそなえて構成されたことを特徴としている。
【００１７】
さらに、本発明に関連する技術のマルチキャリア直接拡散送受信システムは、伝送すべきデータを符号多重化して複数のサブキャリアを用いて無線信号を送信するマルチキャリア直接拡散送信機と、マルチキャリア直接拡散送信機に対向して配置され、符号多重化されて複数のサブキャリアを用いて送信された無線信号を受信するマルチキャリア直接拡散受信機とを有し、マルチキャリア直接拡散送信機が、伝送すべきデータにパイロット信号を挿入し符号多重化し、ｎ本（ｎは２以上の自然数を表す）のサブキャリアの中から所定周波数離れたｋ本（ｋはｎ以下の自然数を表す）のサブキャリアのそれぞれに同一データを挿入して送信する送信部と、送信部に接続され、送信電力コマンドに従って送信電力の増減を制御しうる制御部と、ｋ本のサブキャリアにて伝送データに既知信号からなるパイロット信号を付加する付加部とをそなえ、マルチキャリア直接拡散受信機が、マルチキャリア直接拡散送信機が送信したｋ本のサブキャリアを用いて送信された無線信号を受信して無線信号に起因する信号を出力する受信部と、受信部に接続され、ｋ本のサブキャリアのそれぞれについての品質を測定して個別測定結果を出力するとともに、ｋ本のサブキャリアを合成した合成キャリアについての品質を測定して合成測定結果を出力する測定部と、測定部に接続され、個別測定結果に基づきｋ本のサブキャリアのそれぞれの送信電力レベルについて、増加，減少又は維持を表す制御コマンドを出力する制御コマンド発生部と、測定部に接続され、合成測定結果に基づき合成キャリアについて、増加，減少又は維持を表す制御コマンドを合成コマンドとして出力する合成コマンド発生部と、制御コマンド発生部と合成コマンド発生部とに接続され、制御コマンドと合成コマンドとが一致した一致個数と所定のしきい値とを比較して、ｋ本のサブキャリアのそれぞれについて送信電力の増加，減少又は維持を判定し、その判定内容を送信電力制御命令として出力する送信電力制御部とをそなえて構成されたことを特徴としている。
【００１８】
また、送信部は、伝送すべきデータに、ユーザー間で相互に直交する合成後直交符号を用いて符号化するように構成することもできる。
さらに、送信電力制御命令部は、一致個数がしきい値を越える場合は、ｋ本のサブキャリアの全ての送信電力を合成コマンドと一致させる送信電力制御命令を出力し、一致個数がしきい値を越えない場合は、合成コマンドと一致する送信電力を有するサブキャリアについては増減なしとする送信電力制御命令を出力するとともに、合成コマンドと一致しない送信電力を有するサブキャリアについては合成コマンドと一致する送信電力にさせる送信電力制御命令を出力するように構成されてもよく、制御コマンドの個数と合成コマンドの個数とに関する増減の判定を、増加又は減少が連続するその連の数ｉ（ｉは２以上の自然数を表す）に合わせ、その増減の個数について上限値を設けるとともに、２の（ｉ−１）乗で増減させるように構成されてもよい。
【００１９】
加えて、マルチキャリア直接拡散送信機の制御部が、受信側が送信するサブキャリア周波数の変更命令に基づき、データを伝送するサブキャリアを異なるサブキャリアへ移転させるとともに、サブキャリアに異なる拡散符号を割り当てるように構成することもでき、マルチキャリア直接拡散受信機が、測定部に接続され、測定結果と所定の品質基準値とを比較して、同一データを伝送するｋ本のサブキャリアのうち所定の品質基準値を満足しないサブキャリアについてマルチキャリア直接拡散送信機に対して、周波数変更を要求するしきい値比較／周波数変更命令生成部をそなえて構成することもできる。
【００２０】
そして、本発明に関連する技術のマルチキャリア直接拡散送受信機は、伝送すべきデータを符号多重化して複数のサブキャリアを用いて無線信号を送信するマルチキャリア直接拡散送信部と、対向して配置された対向マルチキャリア直接拡散送信機が符号多重化して複数のサブキャリアを用いて送信した無線信号を受信するマルチキャリア直接拡散受信部とを有し、マルチキャリア直接拡散送信部が、伝送すべきデータにパイロット信号を挿入し符号多重化し、ｎ本（ｎは２以上の自然数を表す）のサブキャリアの中から所定周波数離れたｋ本（ｋはｎ以下の自然数を表す）のサブキャリアのそれぞれに同一データを挿入して送信する送信部と、送信部に接続され、送信電力コマンドに従って送信電力の増減を制御しうる制御部と、ｋ本のサブキャリアにて伝送データに既知信号からなるパイロット信号を付加する付加部とをそなえ、マルチキャリア直接拡散受信部が、対向マルチキャリア直接拡散送信機が符号多重化してｋ本のサブキャリアを用いて送信した無線信号を受信し無線信号に起因する信号を出力する受信部と、受信部に接続され、ｋ本のサブキャリアのそれぞれについての品質を測定して個別測定結果を出力するとともに、ｋ本のサブキャリアを合成した合成キャリアについての品質を測定して合成測定結果を出力する測定部と、測定部に接続され、個別測定結果に基づきｋ本のサブキャリアのそれぞれの送信電力レベルについて、増加，減少又は維持を表す制御コマンドを出力する制御コマンド発生部と、測定部に接続され、合成測定結果に基づき合成キャリアについて、増加，減少又は維持を表す制御コマンドを合成コマンドとして出力する合成コマンド発生部と、制御コマンド発生部と合成コマンド発生部とに接続され、制御コマンドと合成コマンドとの一致個数がしきい値を越える場合はｋ本のサブキャリアの全てを合成コマンドと一致させ、また、それ以外の場合は合成コマンドと一致するサブキャリアについては増減なしとする制御コマンドを発生させるとともに合成コマンドと一致しないサブキャリアについては合成コマンドと一致させ、これにより、ｋ本のサブキャリアについての判定を反転させるようにして増減動作させてマルチキャリア直接拡散送信機へ制御コマンドを送信する送信電力制御命令部とをそなえて構成されたことを特徴としている。
【００２１】
さらに、本発明に関連する技術のマルチキャリア直接拡散送信機は、伝送すべきデータにパイロット信号を挿入し符号多重化し、ｎ本（ｎは２以上の自然数を表す）のサブキャリアの中から所定周波数離れたｋ本（ｋはｎ以下の自然数を表す）のサブキャリアのそれぞれに同一データを挿入して送信する送信部と、送信部に接続され、送信電力コマンドに従って送信電力の増減を制御しうる制御部と、ｋ本のサブキャリアにて伝送データに既知信号からなるパイロット信号を付加する付加部とをそなえて構成されたことを特徴としている。
【００２２】
また、本発明に関連する技術のマルチキャリア直接拡散受信機は、符号多重化されてｋ本（ｋは２以上の自然数を表す）のサブキャリアを用いて送信された無線信号を受信し無線信号に起因する信号を出力する受信部と、受信部に接続され、ｋ本のサブキャリアのそれぞれについての品質を測定して個別測定結果を出力するとともに、ｋ本のサブキャリアを合成した合成キャリアについての品質を測定して合成測定結果を出力する測定部と、測定部に接続され、個別測定結果に基づきｋ本のサブキャリアのそれぞれの送信電力レベルについて、増加，減少又は維持を表す制御コマンドを出力する制御コマンド発生部と、測定部に接続され、合成測定結果に基づき合成キャリアについて、増加，減少又は維持を表す制御コマンドを合成コマンドとして出力する合成コマンド発生部と、制御コマンド発生部と合成コマンド発生部とに接続され、送信データに関する送信電力制御を送信側に送信すべく、モニタ信号を用いてｋ本のサブキャリアそれぞれについて行なわれる品質測定結果と合成後の品質測定結果とを用いて、サブキャリア毎に独立した電力制御を行ない送信側へ制御コマンドを送信する送信電力制御命令部とをそなえて構成されたことを特徴としている。
【００２３】
そして、本発明に関連する技術のマルチキャリア直接拡散送受信システムは、伝送すべきデータをｍ本（ｍは２以上の自然数を表す）のサブキャリアを用いて、無線信号を送信するマルチキャリア送信機と、マルチキャリア送信機に対向して配置され、ｍ本のサブキャリアを用いて送信された無線信号を受信するマルチキャリア受信機とを有し、マルチキャリア送信機が、ｎ本（ｎはｍ以下の自然数を表す）のサブキャリアに関する品質情報に基づきｍ本のサブキャリアのピーク電力を抑圧すべく、（ｍ−ｎ）本のサブキャリアにダミービットを挿入する抑圧ビット挿入部と、抑圧ビット挿入部に接続され、伝送すべきデータを、選択されたｎ本のサブキャリアのそれぞれを用いて無線信号を送信する送信部とをそなえ、マルチキャリア受信機が、ｍ本のサブキャリアを用いて送信された無線信号を受信し伝送データを検波するとともに、パイロット信号を抽出する受信部と、受信部に接続され、パイロット信号を用いて、ｍ本のサブキャリアの品質を測定して測定結果を出力する測定部と、測定部に接続され、測定結果に基づきｍ本のサブキャリアからｎ本のサブキャリアを選択するとともに、ダミービットを削除して出力する抽出部と、測定部に接続され、選択されたｎ本のサブキャリアに関する品質情報をｎ本のサブキャリアにより送信側に送信する第２選択部とをそなえて構成されたことを特徴としている。
【００２４】
また、デュープレックス方式は時間分割デュープレックスであったり、周波数分割デュープレックスであってもよい。
さらに、マルチキャリア受信機における測定部が、電界強度を表す受信信号強度表示により、サブキャリアの品質を測定するように構成されたり、マルチキャリア受信機における測定部が、品質を受信パイロット信号のシンボル点からのずれの合計値に基づいて測定するように構成されてもよい。
【００２５】
そして、本発明に関連する技術のマルチキャリア送受信機は、伝送すべきデータを符号多重化してｍ本（ｍは２以上の自然数を表す）のサブキャリアを用いて無線信号を送信するマルチキャリア送信部と、対向して配置された対向マルチキャリア送信機がｍ本のサブキャリアを用いて送信した無線信号を受信するマルチキャリア受信部とを有し、マルチキャリア送信部が、ｎ本（ｎはｍ以下の自然数を表す）のサブキャリアに関する品質情報に基づきｍ本のサブキャリアのピーク電力を抑圧すべく、（ｍ−ｎ）本のサブキャリアにダミービットを挿入する抑圧ビット挿入部と、抑圧ビット挿入部に接続され、伝送すべきデータを、選択されたｎ本のサブキャリアのそれぞれを用いて無線信号を送信する送信部とをそなえ、マルチキャリア受信部が、ｍ本のサブキャリアを用いて送信された無線信号を受信し伝送データを検波するとともに、パイロット信号を抽出する受信部と、受信部に接続され、対向マルチキャリア送信機が送信したｍ本のサブキャリアに含まれるパイロット信号を用いて、ｍ本のサブキャリアの品質を測定して測定結果を出力する測定部と、測定部に接続され、測定結果に基づきｍ本のサブキャリアからｎ本のサブキャリアを選択するとともに、ダミービットを削除して出力する抽出部と、測定部に接続され、選択されたｎ本のサブキャリアに関する品質情報をｎ本のサブキャリアにより送信側に対して送信する第２選択部とをそなえて構成されたことを特徴としている。
【００２６】
また、本発明に関連する技術のマルチキャリア送信機は、ｍ本（ｍは２以上の自然数を表す）のサブキャリアを用いて伝送すべきデータを送信すべく、ｎ本（ｎはｍ以下の自然数を表す）のサブキャリアに関する品質情報に基づきｍ本のサブキャリアのピーク電力を抑圧すべく、（ｍ−ｎ）本のサブキャリアにダミービットを挿入する抑圧ビット挿入部と、抑圧ビット挿入部に接続され、伝送すべきデータを、選択されたｎ本のサブキャリアのそれぞれを用いて無線信号を送信する送信部とをそなえて構成されたことを特徴としている。
【００２７】
そして送信部は、伝送すべきデータに時間的に多重したパイロット信号を挿入して符号多重化するように構成されてもよい。
さらに、本発明に関連する技術のマルチキャリア受信機は、ｍ本（ｍは２以上の自然数を表す）のサブキャリアを用いて送信された無線信号を受信し伝送データを検波するとともに、パイロット信号を抽出する受信部と、受信部に接続され、パイロット信号を用いて、ｍ本のサブキャリアの品質を測定して測定結果を出力する測定部と、測定部に接続され、測定結果に基づきｍ本のサブキャリアからｎ（ｎはｍ以下の自然数を表す）本のサブキャリアを選択するとともに、送信側が挿入したダミービットを削除して出力する抽出部と、測定部に接続され、選択されたｎ本のサブキャリアに関する品質情報をｎ本のサブキャリアにより送信側に送信する第２選択部とをそなえて構成されたことを特徴としている。
【００２８】
また、本発明に関連する技術のマルチキャリア直接拡散送受信システムは、伝送すべきデータを符号多重化してｍ本（ｍは２以上の自然数を表す）のサブキャリアを用いて無線信号を送信するマルチキャリア直接拡散送信機と、マルチキャリア直接拡散送信機に対向して配置され、符号多重化されてｍ本のサブキャリアを用いて送信された無線信号を受信するマルチキャリア直接拡散受信機とを有し、マルチキャリア直接拡散送信機が、マルチキャリア直接拡散受信機におけるｍ本のサブキャリアの品質測定結果に基づきサブキャリア毎の拡散率を変化させて総伝送速度を維持したまま、測定結果のよいサブキャリアでは低い拡散率で、測定結果の悪いサブキャリアでは高い拡散率を設定しうる制御部と、制御部に接続され、伝送すべきデータにパイロット信号を挿入して、階層化直交符号により設定された拡散率にて符号多重化し、無線信号を送信する送信部とをそなえ、マルチキャリア直接拡散受信機が、マルチキャリア直接拡散送信機が符号多重化してｍ本のサブキャリアを用いて送信した無線信号を受信し伝送データを検波するとともに、パイロット信号を抽出する受信部と、受信部に接続され、パイロット信号を用いて各サブキャリアの品質を測定して測定結果を出力する測定部と、測定部に接続され、拡散率情報をマルチキャリア直接拡散送信機に送信すべく、測定結果に基づき各サブキャリアの拡散率を決定する拡散率決定部とをそなえて構成されたことを特徴としている。
【００２９】
加えて、上記のマルチキャリア直接拡散送受信システムにおいては、デュープレックス方式が時間分割デュープレックスであったり、周波数分割デュープレックスであってもよい。
そして、本発明に関連する技術のマルチキャリア直接拡散送受信機は、伝送すべきデータを符号多重化してｍ本（ｍは２以上の自然数を表す）のサブキャリアを用いて無線信号を送信するマルチキャリア直接拡散送信部と、対向して配置された対向マルチキャリア直接拡散送信機が符号多重化してｍ本のサブキャリアを用いて送信した無線信号を受信するマルチキャリア直接拡散受信部とを有し、マルチキャリア直接拡散送信部が、マルチキャリア直接拡散受信機におけるｍ本のサブキャリアの品質測定結果に基づきサブキャリア毎の拡散率を変化させて総伝送速度を維持したまま、測定結果のよいサブキャリアでは低い拡散率で、測定結果の悪いサブキャリアでは高い拡散率を設定しうる制御部と、制御部に接続され、伝送すべきデータにパイロット信号を挿入して、階層化直交符号により設定された拡散率にて符号多重化し、無線信号を送信する送信部とをそなえ、マルチキャリア直接拡散受信部が、対向マルチキャリア直接拡散送信機が符号多重化してｍ本のサブキャリアを用いて送信した無線信号を受信し伝送データを検波するとともに、パイロット信号を抽出する受信部と、受信部に接続され、パイロット信号を用いて各サブキャリアの品質を測定して測定結果を出力する測定部と、測定部に接続され、拡散率情報をマルチキャリア直接拡散送信機に送信すべく、測定結果に基づき各サブキャリアの拡散率を決定する拡散率決定部とをそなえて構成されたことを特徴としている。
【００３０】
加えて、本発明に関連する技術のマルチキャリア直接拡散送信機は、受信側の品質測定結果に基づきｍ本（ｍは２以上の自然数を表す）のサブキャリアのそれぞれについての拡散率を変化させて総伝送速度を維持したまま、測定結果のよいサブキャリアでは低い拡散率で、測定結果の悪いサブキャリアでは高い拡散率を設定しうる制御部と、伝送すべきデータにパイロット信号を挿入し階層化直交符号により符号多重化し、ｍ本のサブキャリアのそれぞれについての品質測定結果に基づいて、ｍ本のサブキャリアの拡散率をそれぞれ変化させ、総伝送速度を維持したまま、測定結果のよいサブキャリアでは低い拡散率で、測定結果の悪いサブキャリアでは高い拡散率を用いて、無線信号を送信する送信部とをそなえて構成されたことを特徴としている。
【００３１】
また、本発明に関連する技術のマルチキャリア直接拡散受信機は、符号多重化されてｍ本（ｍは２以上の自然数を表す）のサブキャリアを用いて送信された無線信号を受信し伝送データを検波するとともに、パイロット信号を抽出する受信部と、受信部に接続され、パイロット信号を用いて各サブキャリアの品質を測定して測定結果を出力する測定部と、測定部に接続され、拡散率情報をマルチキャリア直接拡散送信機に送信すべく、測定結果に基づき各サブキャリアの拡散率を決定する拡散率決定部とをそなえて構成されたことを特徴としている。
【００３２】
加えて、上記のマルチキャリア直接拡散送受信システムは無線送受信が周波数選択性フェージング下で行なわれてもよく、上記のマルチキャリア送受信システムは無線送受信が周波数選択性フェージング下で行なわれてもよい。
【００３３】
【発明の実施の形態】
以下、図面を参照して本発明の実施の形態を説明する。
（Ａ）本発明の第１実施形態の説明
図１は本発明の第１実施形態に係るマルチキャリア直接拡散送受信システムの構成図である。この図１に示すマルチキャリア直接拡散送受信システム４０は、ＣＤＭＡ方式を用いた移動無線通信システムであって、マルチキャリア直接拡散送受信機５０と、マルチキャリア直接拡散送受信機９０とをそなえて構成されている。また、このマルチキャリア直接拡散送受信システム４０は無線送受信が周波数選択性フェージング下で行なわれている。
【００３４】
図１に示すマルチキャリア直接拡散送受信機５０は、伝送すべきデータを符号多重化して複数のサブキャリアを用いて無線信号を送信するものであって、シリアル・パラレル変換器（Ｓ／Ｐ）１０と、第１選択部１１と、送信部３０ａと、制御信号出力部１６と、受信部３０ｂと、アンテナ１９ｃ，１９ｄとをそなえて構成されている。
【００３５】
ここで、マルチキャリア直接拡散送受信機５０は、基地局であり、マルチキャリア直接拡散送受信機９０は、移動局である。そして、後述する他の実施形態や他の変形例の説明においても、特に断らない限り、この図１と同様なマルチキャリア直接拡散送受信システム４０の構成をとる。また、このマルチキャリア直接拡散送受信システム４０においては、デュープレックス方式が周波数分割デュープレックス（ＦＤＤ：Frequency Division Duplex）が使用されている。なお、以下の説明において、対向するマルチキャリア直接拡散送受信機５０，９０を、単に受信側，送信側と称することがある。
【００３６】
まず、シリアル・パラレル変換器１０は、入力されるシリアルデータをｎ本のパラレルデータに変換して出力するものであり、第１選択部１１は、ｍ本のサブキャリアの中から受信側における品質測定結果に基づきｎ本のサブキャリアを選択するものである。ここで、ｍは２以上の自然数を表し、ｎはｍ以下の自然数を表す。
【００３７】
そして、送信部３０ａは、この第１選択部１１に接続され、伝送すべきデータにパイロット信号を挿入し符号多重化し、選択されたｎ本のサブキャリアのそれぞれを用いて無線信号を送信するとともに、選択されなかった（ｍ−ｎ）本のサブキャリアにてパイロット信号を送信するものであり、また、アンテナ１９ｃは無線信号を送信するものであり、アンテナ１９ｄは無線信号を受信するものである。さらに、受信部３０ｂは、アンテナ１９ｄから出力された無線信号を受信して検波出力するものである。
【００３８】
また、制御信号出力部１６は、マルチキャリア直接拡散送受信機９０が送信した制御信号を第１選択部１１に入力するものである。この制御信号とは、マルチキャリア直接拡散送受信機９０が受信したサブキャリアの品質に基づいて、マルチキャリア直接拡散送受信機９０が生成したサブキャリアの選択信号を意味し、これに関しては後述する。
【００３９】
これにより、伝送すべきシリアルデータは、シリアル・パラレル変換器１０にて、パラレルデータに変換され、第１選択部１１にて、ｍ本のサブキャリアの中から受信側における品質測定結果に基づきｎ本のサブキャリアが選択される。そして、この選択されたｎ本のサブキャリアを用いて、送信部３０ａは、伝送すべきデータにパイロット信号を挿入し符号多重化し無線信号を出力し、この無線信号はアンテナ１９ｃから、マルチキャリア直接拡散送受信機９０に対して送信されるのである。
【００４０】
一方、マルチキャリア直接拡散送受信機９０は、マルチキャリア直接拡散送受信機５０に対向して配置され、符号多重化されて複数のサブキャリアを用いて送信された無線信号を受信するものであって、アンテナ１９ｃ，１９ｄと、受信部３１ａと、ｍ個の測定部７３ａ〜７３ｃと、第２選択部７６と、抽出部７４と、パラレル・シリアル変換器（Ｐ／Ｓ  ｎ：１）７５と、送信部３１ｂとをそなえて構成されている。
【００４１】
ここで、受信部３１ａは、符号多重化されてｍ本のサブキャリアを用いて送信された無線信号を受信し伝送データを検波するとともに、周期的に伝送されるパイロット信号を抽出するものである。
さらに、測定部７３ａ〜７３ｃは、それぞれ、受信部３１ａに接続され、パイロット信号を用いてｍ本のサブキャリアのそれぞれについての品質を測定して測定結果を出力するものである。具体的には、これらの測定部７３ａ〜７３ｃは、それぞれ、電界強度を表す受信信号強度表示（ＲＳＳＩ：Received Signal Strength Indicator）により、品質を測定するようになっている。なお、この測定方法についての他の方法は、後述する第１実施形態の第１変形例にて説明する。
【００４２】
加えて、第２選択部７６は、測定部７３ａ〜７３ｃに接続され、ｍ本のサブキャリアの中から、データが伝送されているｎ本のサブキャリアを、受信データに基づいて選択し、測定結果を送信側に周期的に送信するものである。
さらに、抽出部７４は、受信部３１ａに接続され、ｎ本のサブキャリアのそれぞれに分割されて挿入されたｎ本のパラレルデータを抽出するものであり、パラレル・シリアル変換器７５は、抽出部７４から出力されたｎ本のパラレルデータをシリアルデータに変換して出力するものである。加えて、送信部３１ｂは、伝送すべきデータと、第２選択部７６から出力されるｍ本のサブキャリアについての品質測定結果に関するデータとを無線信号に変換して送信するものである。
【００４３】
これにより、符号多重化されてｍ本のサブキャリアを用いて送信された無線信号は、アンテナ１９ｄを介して、受信部３１ａにて受信され、伝送データが検波されるとともに、周期的に伝送されるパイロット信号が抽出され、パラレル・シリアル変換器７５にて、パラレルデータがシリアルデータに変換されて出力される。さらに、測定部７３ａ〜７３ｃのそれぞれにて、ｍ本のサブキャリアのそれぞれについて品質測定され、その測定結果が出力され、そして、抽出部７４にて、ｍ本のサブキャリアの中から、データが伝送されているｎ本のサブキャリアが、受信データに含まれる内容に基づいて選択され、送信部３１ｂにて、伝送すべきデータと、第２選択部７６から出力されるｍ本のサブキャリアについての品質測定結果に関するデータとが無線信号に変換されて送信されるのである。
【００４４】
すなわち、この図１に示す、第２選択部７６，送信部３１ｂ，アンテナ１９ｃ，１９ｄ，受信部３０ｂ，制御信号出力部１６が協同して、フィードバックループ１００を形成している。
また、この図１に示すように、マルチキャリア直接拡散送受信機５０は、マルチキャリア直接拡散送信機としても機能し、マルチキャリア直接拡散送受信機９０は、マルチキャリア直接拡散受信機としても機能している。すなわち、マルチキャリア直接拡散送信機（マルチキャリア直接拡散送受信機５０）は、ｍ本のサブキャリアの中から受信側における品質測定結果に基づきｎ本のサブキャリアを選択する第１選択部１１と、この第１選択部１１に接続され、伝送すべきデータにパイロット信号を挿入し符号多重化し、選択されたｎ本のサブキャリアのそれぞれを用いて無線信号を送信するとともに、選択されなかった（ｍ−ｎ）本のサブキャリアにてパイロット信号を送信する送信部３０ａとをそなえて構成されたことになる。
【００４５】
同様に、マルチキャリア直接拡散受信機（マルチキャリア直接拡散送受信機９０）は、符号多重化されてｍ本のサブキャリアを用いて送信された無線信号を受信し伝送データを検波するとともに、周期的に伝送されるパイロット信号を抽出する受信部３１ａと、この受信部３１ａに接続され、ｎ本のサブキャリアのそれぞれに分割されて挿入されたデータを抽出する抽出部７４と、受信部３１ａに接続され、パイロット信号を用いてｍ本のサブキャリアのそれぞれについての品質を測定して測定結果を出力する測定部７３ａ〜７３ｃと、これら測定部７３ａ〜７３ｃに接続され、ｍ本のサブキャリアの中から、データが伝送されているｎ本のサブキャリアを、受信データに基づいて選択し、測定結果を送信側に周期的に送信する第２選択部７６とをそなえて構成されたことになる。
【００４６】
次に、マルチキャリア直接拡散送受信機５０が有する送信部３０ａの詳細について図２を用いて説明する。図２は本発明の第１実施形態に係るマルチキャリア直接拡散送受信機５０のブロック図である。この図２に示す送信部３０ａは、変調器１２ａ〜１２ｃと、パイロット信号挿入部（付加部）１３ａ〜１３ｃと、複数の乗算器１４ａ，１４ｂ，１４ｃと、複数の加算器１５，１９ａと、フィルタ１７ａ〜１７ｃと、アンプ１９ｂとをそなえて構成されている。
【００４７】
ここで、変調器１２ａ〜１２ｃは、それぞれ、第１選択部１１から出力されたデータを例えばＱＰＳＫ変調するものであり、パイロット信号挿入部１３ａ〜１３ｃは、それぞれ、変調器１２ａ〜１２ｃから出力されたデータにパイロット信号を挿入するものである。
そして、複数の乗算器１４ａは、それぞれ、パイロット信号挿入部１３ａ〜１３ｃから出力される信号と、直交コードとを乗算した信号を出力するものであり、加算器１５は、複数の乗算器１４ａから出力された信号と他のユーザー信号とを加算した信号を出力するものであり、複数の乗算器１４ｂは、それぞれ、加算器１５のそれぞれから出力された信号と、ロングコードとを乗算した信号を出力するものである。さらに、フィルタ１７ａ〜１７ｃは、それぞれ、複数の乗算器１４ｂから出力される信号を帯域制限するものであり、複数の乗算器１４ｃは、それぞれ、これらフィルタ１７ａ〜１７ｃから出力される信号と、発振器（図示省略）から出力されるサブキャリアとを乗算した信号を出力するものである。
【００４８】
具体的には、乗算器１４ａは、フィルタ１７ａの出力と、周波数ｆ1を有するサブキャリアとを乗算し、乗算器１４ｂは、フィルタ１７ｂの出力と、周波数ｆ2を有するサブキャリアとを乗算し、…、また、乗算器１４ｃは、フィルタ１７ｃの出力と、周波数ｆmを有するサブキャリアとを乗算し、これにより、異なる周波数値を有する複数のサブキャリアが出力されるようになっている。
【００４９】
また、加算器１９ａは、これら複数の乗算器１４ｃのそれぞれから出力される信号を加算し、加算した信号を出力するものであり、アンプ１９ｂは、加算器１９ａからの信号を増幅して出力するものでる。
なお、この図２に示すものの中で、上述したものと同一の符号を有するものは同一のもの又は同様の機能を有するものなので、更なる説明を省略する。
【００５０】
図３は本発明の第１実施形態に係る送信スペクトラムの配置図であり、サブキャリア周波数ｆ1〜ｆmが表示されている。そして、斜線で表したユーザーデータは、これらのサブキャリアに分割されて送信されるようになっている。
続いて、マルチキャリア直接拡散送受信機９０が有する受信部３１ａの詳細について図４を用いて説明する。図４は本発明の第１実施形態に係るマルチキャリア直接拡散送受信機９０のブロック図である。この図４に示す受信部３１ａは、乗算器１４ｃと、フィルタ６７ａ〜６７ｃと、相関検波部６８ａ，６８ｂ，６８ｃ，６９ａ，６９ｂ，６９ｃ，７０ａ，７０ｂ，７０ｃと、複数のＲａｋｅ合成部７２ａ〜７２ｃとをそなえて構成されており、受信した無線信号は、サブキャリア周波数ｆ1〜ｆm毎に検波されるようになっている。
【００５１】
ここで、フィルタ６７ａ〜６７ｃは、それぞれ、複数の乗算器１４ｃから出力される信号を帯域制限するものである。また、相関検波部６８ａ，６８ｂ，６８ｃは、それぞれ、フィルタ６７ａから出力されるサブキャリア周波数ｆ1について、複数の方向から到来する遅延波のそれぞれを逆拡散処理して検波信号を出力するとともにパイロット信号を抽出するものであって、乗算器１４ｂ，１４ａと、パイロット信号抽出部２０と、同期検波部２１とをそなえて構成されている。
【００５２】
ここで、１本のサブキャリアについて相関検波部６８ａ，６８ｂ，６８ｃが３個設けられているのは、マルチパス伝搬路により３方向から到来する遅延波（フィンガー）をそれぞれ分離して検波するためである。なお、この数は、例示であって、３個以上にすることもできる。
さらに、乗算器１４ｂは、フィルタ６７ａから出力される信号に、ロングコードを乗算して出力するものであり、乗算器１４ａは、乗算器１４ｂから出力される信号に、直交コードを乗算して出力するものである。
【００５３】
また、同期検波部２１は、乗算器１４ａから出力される信号を検波するものであって例えばＱＰＳＫ復調するものであり、さらに、パイロット信号抽出部２０は、乗算器１４ａから出力される信号から、パイロット信号を抽出して同期検波部２１と、測定部７３ａ〜７３ｃに入力するものである。
また、Ｒａｋｅ合成部７２ａは、これら相関検波部６８ａ，６８ｂ，６８ｃのそれぞれから出力される検波信号のそれぞれを合成するものである。このＲａｋｅ合成とは、例えば３方向からの受信信号を逆拡散処理によって分離された各パスごとの信号を、時間及び位相をそろえ、各パス毎のＳＮ比に従って重み付け合成し、大きな電力を有する信号を出力することをいう。なお、このＲａｋｅ合成は、最大比合成とも称され、公知の技術であるので、詳細な説明を省略する。また、この図４に示すものの中で、上述したものと同一の符号を有するものは同一のもの又は同様の機能を有するものなので、更なる説明を省略する。
【００５４】
これにより、サブキャリアｆ1についての信号の流れは、次のようになる。すなわち、フィルタ６７ａからの信号は、相関検波部６８ａ，６８ｂ，６８ｃのそれぞれに入力され、各乗算器１４ｂ，１４ａにおいて、ロングコード，直交コードが乗算されて、同期検波部２１にて、検波され、その検波された信号が、それぞれ、相関検波部６８ａ，６８ｂ，６８ｃから出力され、Ｒａｋｅ合成部７２ａにて、Ｒａｋｅ合成が行なわれて、次段の抽出部７４（ｍ波中のｎ波の選択と表示されている）に入力されるのである。また、パイロット信号抽出部２０から出力された信号は、測定部７３ａに入力されて受信品質が測定される。
【００５５】
次に、サブキャリア周波数ｆ2についても同様に処理される。すなわち、相関検波部６９ａ，６９ｂ，６９ｃのそれぞれは、フィルタ６７ｂから出力される受信信号を逆拡散処理して検波信号を出力するとともにパイロット信号を出力するものである。また、相関検波部７０ａ，７０ｂ，７０ｃのそれぞれも、フィルタ６７ｃから出力されるサブキャリア周波数ｆmについて、相関検波部６８ａ，６８ｂ，６８ｃと同様な処理をするものである。そして、Ｒａｋｅ合成部７２ｂ，７２ｃのそれぞれは、Ｒａｋｅ合成部７２ａと同様のものである。
【００５６】
これにより、サブキャリア周波数ｆ1，サブキャリア周波数ｆ2，…，サブキャリア周波数ｆmのｍ本のサブキャリアのそれぞれについて、Ｒａｋｅ合成部７２ａ〜７２ｃにて、Ｒａｋｅ合成が行なわれ、それらの出力は、抽出部７４に入力され、この抽出部７４にて、送信側が分割した挿入した伝送データが抽出され、パラレル・シリアル変換器７５にて、パラレルデータがシリアルデータに変換されて出力される。
【００５７】
また、第２選択部７６（ｍ波中のｎ波の選択と表示されている）にて、測定部７３ａ〜７３ｃのそれぞれにて測定されたサブキャリアの品質に基づき、ｍ本のサブキャリアの中から、ｎ本のサブキャリアが選択され、この選択結果を有する測定結果が送信側に周期的に送信されるのである。
なお、図１において、マルチキャリア直接拡散送受信機５０は、伝送すべきデータを符号多重化して複数のサブキャリアを用いて無線信号を送信するマルチキャリア直接拡散送信部と、対向して配置された対向マルチキャリア直接拡散送信機（マルチキャリア直接拡散送受信機９０）が符号多重化して複数のサブキャリアを用いて送信した無線信号を受信するマルチキャリア直接拡散受信部とを有する。そして、マルチキャリア直接拡散送信部は、第１選択部１１と、送信部３０ａとをそなえ、マルチキャリア直接拡散受信部は、受信部３１ａと、抽出部７４と、測定部７３ａ〜７３ｃと、第２選択部７６とをそなえて構成されている。
【００５８】
さらに、マルチキャリア直接拡散送信機（マルチキャリア直接拡散送受信機５０）は、ｍ本のサブキャリアの中から受信側における品質測定結果に基づきｎ本のサブキャリアを選択する第１選択部１１と、この第１選択部１１に接続され、伝送すべきデータにパイロット信号を挿入し符号多重化し、選択されたｎ本のサブキャリアのそれぞれを用いて無線信号を送信するとともに、選択されなかった（ｍ−ｎ）本のサブキャリアにてパイロット信号を送信する送信部３０ａとをそなえて構成されたことになる。
【００５９】
加えて、マルチキャリア直接拡散受信機（マルチキャリア直接拡散送受信機９０）は、符号多重化されてｍ本のサブキャリアを用いて送信された無線信号を受信し伝送データを検波するとともに、周期的に伝送されるパイロット信号を抽出する受信部３１ａと、受信部３１ａに接続され、ｎ本のサブキャリアのそれぞれに分割されて挿入されたデータを抽出する抽出部７４と、受信部３１ａに接続され、パイロット信号を用いてｍ本のサブキャリアのそれぞれについての品質を測定して測定結果を出力する測定部７３ａ〜７３ｃと、測定部７３ａ〜７３ｃに接続され、ｍ本のサブキャリアの中から、データが伝送されているｎ本のサブキャリアを、受信データに基づいて選択し、測定結果を送信側に周期的に送信する第２選択部７６とをそなえて構成されたことになる。
【００６０】
そして、このような構成によって、受信側にてサブキャリアの品質が測定されてその測定結果が送信側にフィードバックされる。図５は本発明の第１実施形態に係る送受信方法のフローチャートである。まず、ｍ本のサブキャリアについて、マルチキャリア直接拡散送受信機９０が品質測定を行ない、その測定結果をマルチキャリア直接拡散送受信機５０に返信する（ステップＡ１）。次に、マルチキャリア直接拡散送受信機５０は品質のよいｎ本のサブキャリアを選択し、データ伝送（情報伝送）を行ない（ステップＡ２）、そして、マルチキャリア直接拡散送受信機９０はその伝送データを受信するのである（ステップＡ３）。さらに、これらステップＡ１〜ステップＡ３のループは繰り返される。
【００６１】
従って、データ伝送の度に、品質のよいサブキャリアが、常に適応的に選択される。そして、このように、周波数選択性フェージング下において、伝送品質の高いサブキャリア帯域を用いてデータを伝送し伝送品質の低いサブキャリア帯域におけるデータ伝送を行なわないので、高品質かつ高速なデータ伝送が可能となる。
【００６２】
また、このように、サブキャリアが通信中に適応的に選択されるので、効率的な周波数利用が可能となる。
そして、このようにして、ピーク送信電力と平均送信電力との差が小さくなるので、アンプの使用効率を向上させることが可能となる。
（Ａ１）本発明の第１実施形態の第１変形例の説明
第１実施形態において、受信側におけるサブキャリアの選択方法を別の方法で行なうこともでき、本変形例では、サブキャリアの選択方法について２種類説明する。また、品質測定の方法についても他の方法を説明する。なお、本変形例，他の実施形態，他の変形例においても、特に断らない限り、無線送受信は周波数選択性フェージング下で行なわれている。
【００６３】
図６は本発明の第１実施形態の第１変形例に係るマルチキャリア直接拡散送受信機５０ａのブロック図である。この図６に示すマルチキャリア直接拡散送受信機５０ａは、ＣＤＭＡ方式を用いた移動無線通信システムに用いられるものであり、パイロット信号挿入部１３ｄ〜１３ｆの機能が、第１実施形態に係るマルチキャリア直接拡散送受信機５０内のパイロット信号挿入部１３ａ〜１３ｃのそれと異なる。
【００６４】
すなわち、マルチキャリア直接拡散送受信機５０ａの送信部３０ｃ内のパイロット信号挿入部１３ｄ〜１３ｆは、それぞれ、伝送データを重畳したサブキャリア番号に関する選択情報を、伝送データ中の伝送速度に関する制御情報の領域に挿入するようになっている。そして、この選択情報は、受信側にて抽出され、受信側はこの選択信号に応じて、伝送データが重畳されたサブキャリアを選択するのである。
【００６５】
なお、図６に示すもので、上述したものと同一の符号を有するものは同一のもの又は同様の機能を有するものなので、更なる説明を省略する。
また、図８（ａ）は本発明の第１実施形態の第１変形例に係るデータフォーマットの一例を示す図である。この図８（ａ）に示すデータ列の１個は、Ｐと表記された部分と、ＲＩと表記された部分と、ＤＡＴＡと表記された部分との３種類の領域を有する。そして、このＰはパイロット信号を意味し、また、ＲＩは伝送速度情報（Ｒａｔｅ  Ｉｎｆｏｒｍａｔｉｏｎ）を意味し、このＲＩが上記の伝送速度に関する制御情報の領域に相当する。加えて、ＤＡＴＡは伝送すべきデータを格納する領域である。なお、このデータフォーマットは、後述する他の実施形態及び各変形例においても、同様の構成をとる。これにより、既存のデータフォーマットを利用して、制御情報を送受信できる。
【００６６】
図７は本発明の第１実施形態の第１変形例に係る対向マルチキャリア直接拡散送受信機９０ａのブロック図である。この図７に示すマルチキャリア直接拡散送受信機９０ａも、ＣＤＭＡ方式を用いた移動無線通信システムに用いられるものであって、第１実施形態に係るマルチキャリア直接拡散送受信機９０と異なる点は、相関検波部６８ｄ，６８ｅ，６８ｆ，６９ｄ，６９ｅ，６９ｆ，７０ｄ，７０ｅ，７０ｆから制御情報が抽出される点である。
【００６７】
この図７に示す相関検波部６８ｄ，６８ｅ，６８ｆ，６９ｄ，６９ｅ，６９ｆ，７０ｄ，７０ｅ，７０ｆは、それぞれ、フィルタ６７ａ〜６７ｃより出力されるサブキャリア周波数ｆ1〜ｆmについて、複数の方向から到来する遅延波のそれぞれを逆拡散処理して検波信号を出力するとともにパイロット信号を抽出するものであって、乗算器１４ａの出力側に制御情報抽出部２０ａが設けられている。そして、この制御情報抽出部２０ａは、乗算器１４ａと抽出部７４とに接続され、受信信号からマルチキャリア直接拡散送受信機５０ａが送信した制御情報を取り出して、この制御情報に含まれる選択情報を抽出部７４に入力するようになっている。換言すれば、マルチキャリア直接拡散送受信機９０ａの抽出部７４が、この制御情報に基づきｎ本のサブキャリアを選択するようになっている。
【００６８】
なお、図７に示すもので、上述したものと同一の符号を有するものは同一のもの又は同様の機能を有するものなので、更なる説明を省略する。
このような構成によって、マルチキャリア直接拡散送受信機５０ａ（図６参照）は伝送データに選択情報を重畳し、マルチキャリア直接拡散送受信機９０ａは、この選択情報を抽出して伝送に使用されているｎ本のサブキャリアの番号を把握する。そして、マルチキャリア直接拡散送受信機９０ａは、受信したサブキャリアの品質測定結果を送信側に返信し、マルチキャリア直接拡散送受信機５０ａは、その品質測定結果に基づき伝送に使用するサブキャリアを適応的に変更するのである。
【００６９】
このように、品質測定結果がフィードバックされてマルチキャリア直接拡散送受信機５０ａが動的にサブキャリアを選択するので、高品質のデータ伝送ができる。
続いて、第２のサブキャリア選択方法について説明する。この選択方法は、マルチキャリア直接拡散送受信機５０ａの送信部３０ｃが、選択情報（伝送データを重畳したサブキャリアの番号）を、伝送データを格納する領域に挿入する方法である。すなわち、図８（ａ）のデータ領域ＤＡＴＡに、選択情報が挿入されて送信される一方、マルチキャリア直接拡散送受信機９０ａの抽出部７４が、このＤＡＴＡに含まれる選択情報を抽出し、これにより、マルチキャリア直接拡散送受信機９０ａは、ｍ本のサブキャリアの中から、データが伝送されているｎ本のサブキャリアを知るのである。
【００７０】
次に、品質測定の方法について説明する。受信したパイロット信号が、信号平面上のシンボル点（信号点）からずれた量を用いて行なわれる。図８（ｂ）は本発明の第１実施形態の第１変形例に係る品質測定の説明図である。この図８（ｂ）に示す信号平面は、４箇所のシンボル点と受信信号点（矢印で示したもの）とが表示されている。ここで、変調方式は例えばＱＰＳＫが用いられている。
【００７１】
そして、受信側は、これらのシンボル点のうち１点をパイロット信号として定義し、複数のパイロット信号の平均値と、各パイロット信号のずれとを、品質測定のための品質情報として利用するようになっている。すなわち、測定部７３ａ〜７３ｃ（図７参照）は、それぞれ、上記品質を受信パイロット信号のシンボル点からのずれの合計値に基づいて測定するのである。
【００７２】
具体的には、複数のパイロット信号の振幅値をｒiとし、また、複数の受信信号の振幅値に関する平均値をｒaveとしたときに、品質情報Ｑは、式（１）のようになる。
Ｑ＝（１／ｋ）×Σki=1（ｒi−ｒave）＊＊２              …（１）
ここで、Σki=1は、ｉが１からｋまでの総和を表しｉは自然数であり、ｋは上記のｋを表す。また、（ｒi−ｒave）＊＊２は、（ｒi−ｒave）の２乗計算を表し、ｒaveは、例えば５回にわたった振幅値の大きさの平均である。この品質情報Ｑにより、マルチキャリア直接拡散送受信機９０ａは、ｍ及びｎの選択を行なうので、サブキャリアは、送信側の選択情報によらずに自立的に選択されるのである。
【００７３】
そして、このような構成により、第１実施形態と同様にサブキャリアに関する情報が送受信され、周波数選択性フェージング下において、伝送品質の高いサブキャリア帯域を用いてデータを伝送し、また、伝送品質の低いサブキャリア帯域を用いたデータ伝送が回避される。
このように、高品質かつ高速なデータ伝送が可能となる。また、このように、サブキャリアが通信中に適応的に選択されるので、効率的な周波数利用が可能となる。
【００７４】
そして、このようにして、ピーク送信電力と平均送信電力との差が小さくなるので、アンプの使用効率が向上する。
（Ａ２）本発明の第１実施形態の第２変形例の説明
第１実施形態におけるマルチキャリア直接拡散送受信システム４０のデュープレックス方式は、周波数分割デュープレックスであったが、時間分割デュープレックス（ＴＤＤ：Time Division Duplex）を用いることもできる。
【００７５】
図９は本発明の第１実施形態の第２変形例に係るマルチキャリア直接拡散送受信システム４０ａの構成図である。この図９に示すマルチキャリア直接拡散送受信システム４０ａは、ＣＤＭＡ方式を用いた移動無線通信システムであって、マルチキャリア直接拡散送受信機５１と、マルチキャリア直接拡散送受信機９１とをそなえて構成されている。
【００７６】
ここで、マルチキャリア直接拡散送受信機５１は、伝送すべきデータを符号多重化して複数のサブキャリアを用いて無線信号を送信するものであって、シリアル・パラレル変換器１０と、第１選択部１１と、送信部３０ａと、アンテナ１９ｅと、カプラ３２と、受信部３１ａと、測定部７３ａ〜７３ｃと、抽出部７４と、パラレル・シリアル変換器７５とをそなえて構成されている。ここで、アンテナ１９ｅは、無線信号を送受信するアンテナであり、カプラ３２は、このアンテナ１９ｅに接続されて、送信信号と受信信号とを分離するものである。また、マルチキャリア直接拡散送信部（第１選択部１１，送信部３０ａ）と、マルチキャリア直接拡散受信部（受信部３１ａ，測定部７３ａ〜７３ｃ，抽出部７４）とが対称形になっている。なお、これらのもので、上述したものと同一の符号を有するものは同一のもの又は同様の機能を有するものなので、重複した説明を省略する。
【００７７】
これにより、マルチキャリア直接拡散送受信機５１は、マルチキャリア直接拡散送受信機９１が送信した無線信号を受信して、その中より、サブキャリアに関する品質測定情報を抽出するのである。
一方、マルチキャリア直接拡散送受信機９１も、マルチキャリア直接拡散送受信機９０と同様のものであって、アンテナ１９ｅと、カプラ３２と、受信部３１ａと、測定部７３ａ〜７３ｃと、第２選択部７６と、抽出部７４と、パラレル・シリアル変換器７５と、シリアル・パラレル変換器１０と、第１選択部１１と、送信部３１ｂとをそなえて構成されている。これらのもので、上述したものと同一の符号を有するものは同一のもの又は同様の機能を有するものなので、重複した説明を省略する。そして、このマルチキャリア直接拡散送受信機９１も、マルチキャリア直接拡散送信部（第１選択部１１，送信部３１ｂ）と、マルチキャリア直接拡散受信部（受信部３１ａ，測定部７３ａ〜７３ｃ，第２選択部７６，抽出部７４）とが対称形になっている。
【００７８】
さらに、サブキャリアの選択については、マルチキャリア直接拡散送受信機５１の送信部３０ａが、伝送データを重畳したサブキャリア番号に関する選択情報を、伝送データの領域に挿入するように構成されるとともに、マルチキャリア直接拡散送受信機９１の抽出部７４が、伝送データに基づきｎ本のサブキャリアを選択するようになっている。
【００７９】
加えて、マルチキャリア直接拡散送受信機９１における測定部７３ａ〜７３ｃは、それぞれ、品質を受信パイロット信号のシンボル点からのずれの合計値に基づいて測定するようになっている。なお、電界強度を表すＲＳＳＩにより、品質を測定するようにしてもよい。
このように、デュープレックス方式がＴＤＤであると、回路構成が対称的になるので、ＦＤＤのように、他の周波数への変換回路が不要となり、回路の小型化が可能となる。また、このように、デュープレックス方式がＴＤＤなので、周波数利用効率が向上する。
【００８０】
そして、このようにして、周波数選択性フェージング下において、高品質かつ高速なデータ伝送が可能となり、また、サブキャリアが通信中に適応的に選択されるので、効率的な周波数利用が可能となる。
さらに、このようにして、ピーク送信電力と平均送信電力との差が小さくなるので、アンプの使用効率を向上させることが可能となる。
【００８１】
（Ｂ）本発明の第２実施形態の説明
図１０は本発明の第２実施形態に係るマルチキャリア直接拡散送受信システムの構成図である。この図１０に示すマルチキャリア直接拡散送受信システム４０ｂは、ＣＤＭＡ方式を用いた移動無線通信システムであって、マルチキャリア直接拡散送受信機５０ｂと、マルチキャリア直接拡散送受信機９０ｂとをそなえて構成されている。
【００８２】
このマルチキャリア直接拡散送受信システム４０ｂは、同一データをＮ波（Ｎは自然数）のチャネルにて送受信するシステム（以下の説明にてＮ波システムと称することがある。）である。ここで、Ｎが４の場合について、第２実施形態と第１実施形態との比較を、図１１（ａ），（ｂ）と図１２（ａ），（ｂ）とを用いて説明する。
【００８３】
図１１（ａ），（ｂ）はそれぞれ４波システムの説明図である。この図１１（ａ）の左側から入力された伝送すべきデータは、４方向にコピーされて、それぞれ、乗算器１４ａにてコードを乗算されたのち、乗算器１４ｂにてサブキャリアを乗算されてから、加算器１９ａにて加算されて送信され、図１１（ｂ）に示すサブキャリアのそれぞれを用いて、同一の伝送データが送信されるようになっている。
【００８４】
これに対して、図１２（ａ），（ｂ）はそれぞれ、１／４波システムの説明図である。この１／４波システムとは、入力された総伝送データが１／４にされることを意味する。すなわち、この図１２（ａ）の左側から、例えば２０Ｍｂｐｓの伝送データが入力されると、シリアル・パラレル変換されて５Ｍｂｐｓの伝送データが４波で送信される。また、図１２（ｂ）に示す１〜４と付された４波のサブキャリアのうち、１，３と付されたサブキャリアには、それぞれ、別々のユーザーのデータが伝送されており、２，４と付されたサブキャリアには同一ユーザーのデータが分割されて伝送されるようになっている。すなわち、１ユーザーに関するパラメータは、総サブキャリア数と実際に伝送に使用されているサブキャリア数とで決定され、このパラメータは何波中の何波で送信されるかを表す。さらに、ユーザー毎に異なるサブキャリア数で送信することも可能である。
【００８５】
図１３は本発明の第２実施形態に係るマルチキャリア直接拡散送受信機５０ｂのブロック図である。この図１３に示すマルチキャリア直接拡散送受信機５０ｂは、伝送すべきデータを符号多重化して複数のサブキャリアを用いて無線信号を送信するものであって、送信部３０ｄと、制御信号出力部１６と、受信部３０ｂと、アンテナ１９ｃ，１９ｄとをそなえて構成されている。また、本実施形態のデュープレックス方式はＦＤＤである。
【００８６】
ここで、送信部３０ｄは、伝送すべきデータにパイロット信号を挿入し符号多重化し、ｎ本のサブキャリアの中から所定周波数離れたｋ本のサブキャリアのそれぞれに同一データを挿入して送信するものであって、変調器１２ａ〜１２ｃと、パイロット信号挿入部１３ａ〜１３ｃと、電力増減部１８ａ〜１８ｃと、複数の乗算器１４ａ，１４ｂ，１４ｃと、複数の加算器１５，１９ａと、フィルタ１７ａ〜１７ｃと、アンプ１９ｂとをそなえて構成されている。なお、ｎは２以上の自然数を表し、ｋはｎ以下の自然数を表す。
【００８７】
このうち、電力増減部１８ａ〜１８ｃは、それぞれ、パイロット信号挿入部１３ａ〜１３ｃから出力されるデータの送信電力を、外部からの制御信号により増加又は減少させるものである。さらに、制御信号出力部１６は、送信部３０ｄに接続され、送信電力コマンドに従って送信電力の増減を制御しうるものであって、制御部として機能している。また、パイロット信号挿入部１３ａ〜１３ｃは、それぞれ、ｋ本のサブキャリアにて伝送データに既知信号からなるパイロット信号を付加するものであり、付加部として機能している。
【００８８】
なお、これら以外で、上述したものと同一の符号を有するものは同一のもの又は同様の機能を有するものなので、重複した説明を省略する。
これにより、この図１３の左側から入力された伝送すべきデータは、分岐されて変調器１２ａ〜１２ｃのそれぞれに入力され、パイロット信号挿入部１３ａ〜１３ｃにて、パイロット信号が挿入される。そして、電力増減部１８ａ〜１８ｃにて、パイロット信号挿入部１３ａ〜１３ｃから出力されるデータの送信電力が、制御信号出力部１６から出力される制御信号に基づいて増減されるのである。
【００８９】
さらに、複数の乗算器１４ａにて、電力増減部１８ａ〜１８ｃから出力されるデータと、直交コードとが乗算され、複数の加算器１５にて、他のユーザー信号と加算されて、これらの加算器１５のそれぞれから出力されるデータは、複数の乗算器１４ｂにて、それぞれ、ロングコードと乗算され、さらに、フィルタ１７ａ〜１７ｃのそれぞれにて帯域制限されて出力される。そして、その出力されたデータは、発振器（図示省略）から出力されるサブキャリアと乗算されて、加算器１９ａにて、それらのデータが加算され、アンプ１９ｂにて、増幅され、アンテナ１９ｃから、無線伝搬路に出力される。
【００９０】
図１４は本発明の第２実施形態に係る送信スペクトラムの配置図であり、図１４に示すスペクトラム内の網線で表したものは、伝送すべきデータを表し、この伝送すべきデータが４本のサブキャリアに分割されて送信されるようになっている。さらに、Δｆと付された周波数間隔は、図１３に示した送信部３０ｄ内の乗算器１４ｃにて乗算されるサブキャリア間隔に等しい。ここで、パラメータは、総サブキャリア数１２及びデータ伝送に使用しているサブキャリア数４である。
【００９１】
図１５は本発明の第２実施形態に係る対向マルチキャリア直接拡散送受信機９０ｂのブロック図である。この図１５に示すマルチキャリア直接拡散送受信機９０ｂは、マルチキャリア直接拡散送受信機５０ｂ（図１３参照）に対向して配置され、符号多重化されて複数のサブキャリアを用いて送信された無線信号を受信するものであって、２本のアンテナ１９ｄと、受信部３１ｃと、測定部８０と、ＴＰＣコマンド発生部（制御コマンド発生部）８１と、合成コマンド発生部（合成後ＴＰＣ）８２ａと、送信電力制御命令部８２ｂと、送信部３１ｂと、アンテナ１９ｃとをそなえて構成されている。
【００９２】
ここで、２本のアンテナ１９ｄは、それぞれ、ダイバーシティアンテナであって、受信信号をＡブランチ及びＢブランチとして出力するものであり、また、受信部３１ｃは、マルチキャリア直接拡散送受信機５０ｂが送信したｋ本のサブキャリアを用いて送信された無線信号を受信して無線信号に起因する信号を出力するものであって、複数の乗算器１４ｃと、フィルタ６７ａ〜６７ｃと、相関検波部６８ｇ，６９ｇ，７０ｇと、Ｒａｋｅ受信部７２ｄ〜７２ｆと、最大比合成部７９ａと、信号判定部７９ｂとをそなえて構成されている。
【００９３】
ここで、相関検波部６８ｇ，６９ｇ，７０ｇは、それぞれ、アンテナ１９ｄから出力される受信信号を逆拡散するものである。また、Ｒａｋｅ受信部７２ｄ〜７２ｆは、それぞれ、アンテナ１９ｄから出力される受信信号をＲａｋｅ受信するものであり、さらに、最大比合成部７９ａは、Ｒａｋｅ受信部７２ｄ〜７２ｆのそれぞれより出力される信号の時間及び位相をそろえ、大きな電力を有する信号を出力するものである。そして、信号判定部７９ｂは、この最大比合成部７９ａから出力される信号のシンボルを判定するものである。
【００９４】
これにより、例えばサブキャリア周波数ｆ1の受信信号についての信号の流れは、次のようになる。すなわち、一方のアンテナ１９ｄにて受信されたブランチＡと、他方のアンテナ１９ｄにて受信されたブランチＢとのそれぞれが、乗算器１４ｃにて周波数変換され、フィルタ６７ａにて所望の周波数成分のみが取り出される。次に、相関検波部６８ｇにてブランチＡ，Ｂの各信号が、それぞれ、逆拡散されて、Ｒａｋｅ受信部７２ｄにて、Ｒａｋｅ受信される。続いて、最大比合成部７９ａにて大きな信号電力を有する信号が出力され、信号判定部７９ｂにて信号のシンボルが判定されるのである。また、サブキャリア周波数ｆ2，サブキャリア周波数ｆmについても同様である。
【００９５】
そして、測定部８０は、受信部３１ｃに接続され、ｋ本のサブキャリアのそれぞれについての品質を測定して個別測定結果を出力するとともに、ｋ本のサブキャリアを合成した合成キャリアについての品質を測定して合成測定結果を出力するものであって、ＳＩＲ測定部８０ａ〜８０ｃと、合成後ＳＩＲ測定部８０ｄとをそなえて構成されている。ここで、ＳＩＲ測定部８０ａ〜８０ｃは、それぞれ、ｋ本のサブキャリアのそれぞれについてのＳＩＲ（Signal Interference Ratio：信号対歪比）を測定して、各サブキャリア毎の個別測定結果を出力するものである。また、合成後ＳＩＲ測定部８０ｄは、ｋ本のサブキャリアを合成して得られる合成キャリアについてのＳＩＲを測定して、合成測定結果を出力するものである。
【００９６】
従って、受信信号は、ｋ本のサブキャリアのそれぞれについての品質と、ｋ本のサブキャリアをすべて合成したものについての品質とが測定されるようになっている。
さらに、ＴＰＣコマンド発生部８１は、測定部８０に接続され、個別測定結果に基づきｋ本のサブキャリアのそれぞれの送信電力レベルについて、増加，減少又は維持を表す制御コマンド（ＴＰＣコマンド：Transmission Power Controlコマンド）を出力するものである。この制御コマンドとは、受信側において、各サブキャリアの受信電力に基づいて、送信側に対して各サブキャリア毎の送信電力の増加，減少又は維持について返信するための制御情報を意味する。
【００９７】
これにより、受信側で例えば８本のサブキャリアについての品質測定が行なわれ、例えば１番目のサブキャリアの送信電力を増加させ、２番目のサブキャリアの送信電力を減少させ、又は、３番目のサブキャリアの送信電力はそのままでよい等の制御情報が、受信側から送信側に送信される。
そして、送信側は受信側から送信されたこの制御コマンドに基づき、送信電力制御を行なうのである。すなわち、図１０に示す、送信電力制御命令部８２ｂ，送信部３１ｂ，アンテナ１９ｃ，１９ｄ，受信部３０ｂ，制御信号出力部１６が協同して、フィードバックループ１００ａを形成している。
【００９８】
次に、制御コマンドについて、図１６と図１７（ａ）〜（ｅ）とを用いて説明する。図１６は本発明の第２実施形態に係るフェージングレベルの説明図である。この図１６に示す曲線Ｌは、選択性フェージングレベルを表し、また、サブキャリアｆ1〜ｆ8のうち、ｆ1，ｆ3，ｆ5，ｆ7の４波を用いてデータが送信されている。ここで、サブキャリアｆ1は、受信側にて、送信レベルよりも大きいレベルで受信され、サブキャリアｆ3，ｆ5はともに、受信側にて、送信レベルよりも小さいレベルで受信され、また、サブキャリアｆ7は、受信側にて、送信レベルとほぼ同レベルで受信される。従って、受信側は、これらのサブキャリア受信レベルに基づき、送信側に対して制御コマンドを送信するのである。具体的には、サブキャリアｆ1についてはダウン（ｄｏｗｎ）させ、サブキャリアｆ3，ｆ5についてはアップ（ｕｐ）させ、また、サブキャリアｆ7についてはそのまま（ｓｔａｙ）にするのである。
【００９９】
また、図１５において、合成コマンド発生部８２ａは、測定部８０に接続され、合成測定結果に基づき合成キャリアについて、増加，減少又は維持を表す制御コマンドを合成コマンドとして出力するものである。
さらに、送信電力制御命令部８２ｂは、ＴＰＣコマンド発生部８１と合成コマンド発生部８２ａとに接続され、制御コマンドと合成コマンドとが一致した一致個数と所定のしきい値とを比較して、ｋ本のサブキャリアのそれぞれについて送信電力の増加，減少又は維持を判定し、その判定内容を送信電力制御命令として出力するものである。
【０１００】
そして、合成コマンド発生部８２ａにより得られた合成コマンドを用いて、送信電力制御命令部８２ｂは、フラットフェージング環境下と選択性フェージング環境下とにおいて、別個の送信電力制御を行ない、また、選択性フェージングのときは、上記の一致個数がしきい値を越える場合と越えない場合とで、異なる処理を行なうようになっている。ここで、フラットフェージングのときについて、図１７（ａ），（ｂ）を用いて説明し、選択性フェージングのときについて、図１７（ｃ）〜（ｅ）を用いて説明する。
【０１０１】
図１７（ａ），（ｂ）はそれぞれ、フラットフェージングにおける送信電力制御の説明図であり、これらの図１７（ａ），（ｂ）に示す行列は、３列からなり、左側欄には、合成キャリア（全体と表示されたもの）及びサブキャリア番号ｋ（０〜７）が格納されており、中欄は、合成コマンド発生部８２ａにより生成された合成測定結果（ｕｐ，ｄｏｗｎ）及びＴＰＣコマンド発生部８１により生成された８本のサブキャリアのそれぞれについての個別測定結果（ｕｐ，ｄｏｗｎ）が格納されている。さらに、右側欄には、送信電力制御命令部８２ｂにより生成されたサブキャリア０〜７のそれぞれに関する送信電力制御の内容（ｕｐ，ｄｏｗｎ）が格納されている。
【０１０２】
ここで、図１７（ａ）の中欄の最上段に示す合成測定結果がアップの場合には、各サブキャリアについての送信電力制御の内容は全てアップにされ、この内容が送信側に返信される。また、図１７（ｂ）の中欄の最上段に示す合成測定結果がダウンの場合には、各サブキャリアについての送信電力制御の内容は全てダウンにされ、この内容が送信側に返信されるのである。
【０１０３】
次に、選択性フェージングのときには、送信電力制御命令部８２ｂは、一致個数がしきい値を越える場合は、ｋ本のサブキャリアの全ての送信電力を合成コマンドと一致させる送信電力制御命令を出力する。すなわち、しきい値を３としたときに、各サブキャリア毎の個別測定結果と合成測定結果との一致個数が３個を越える場合は、８本のサブキャリアの全てをその合成測定結果と一致させるようにする。
【０１０４】
図１７（ｃ），（ｄ）はそれぞれ選択性フェージングにおける送信電力制御の説明図であり、図１７（ｃ）は各サブキャリア毎の個別測定結果と合成キャリアの合成測定結果との一致個数がしきい値を越えた場合を示している。この図１７（ｃ）の中欄の最上段に示す合成測定結果はアップであり、また、各サブキャリア毎の個別測定結果は、サブキャリア番号０〜７のそれぞれについて、アップ，ダウン，ダウン，アップ，アップ，ダウン，ダウン，アップとなっている。従って、アップの個数は、番号０，３，４，７を付した４個であり、しきい値の３個を越えるので、送信電力制御命令部８２ｂは、０〜７を付した８本のサブキャリアの全てをアップにする内容の送信電力制御を送信側に返信するのである。なお、番号０，３，４，７のサブキャリアは、アップの状態で送信しているので、この図１７（ｃ）の右欄に示すようにｓｔａｙと表示されている。
【０１０５】
また、この送信電力制御命令部８２ｂは、一致個数がしきい値を越えない場合は、合成コマンドと一致する送信電力を有するサブキャリアについては増減なしとする送信電力制御命令を出力するとともに、合成コマンドと一致しない送信電力を有するサブキャリアについては合成コマンドと一致する送信電力にさせる送信電力制御命令を出力する。すなわち、しきい値を４としたとき、各サブキャリア毎の個別測定結果と合成キャリアの合成測定結果との一致個数が４個を越えない場合は、合成測定結果と一致するサブキャリアについては増減なしとする内容の送信電力制御を発生させるとともに、合成測定結果と一致しないサブキャリアについては合成測定結果と一致させるのである。
【０１０６】
図１７（ｄ）は各サブキャリア毎の個別測定結果と合成キャリアの合成測定結果との一致個数がしきい値以下の場合を示している。この図１７（ｄ）の中欄最上段に示す合成測定結果はダウンであり、各サブキャリア毎の個別測定結果がダウンの個数は、番号１，２，５，６を付した４個である。そして、この場合、合成測定結果と一致するサブキャリア（番号１，２，５，６を付したもの）については、送信電力制御の内容はそのままにし、また、一致しないサブキャリア（番号０，３，４，７を付したもの）については、合成測定結果と一致するように送信電力制御の内容を変更するのである。
【０１０７】
換言すれば、送信電力制御命令部８２ｂは、制御コマンドと合成コマンドとの一致した数がしきい値を越える場合はｋ本のサブキャリアの全てを合成コマンドと一致させ、また、それ以外の場合は合成コマンドと一致するサブキャリアについては増減なしとする制御コマンドを発生させるとともに合成コマンドと一致しないサブキャリアについては合成コマンドと一致させ、これにより、ｋ本のサブキャリアについての判定を反転させるようにして増減動作させているのである。
【０１０８】
また、図１７（ｅ）は本発明の第２実施形態に係る増減方法の説明図である。この図１７（ｅ）に示す枠の上段は、横方向がサブキャリア番号であり、例えばサブキャリア数が１０本の場合を表す。また、この枠の下段は、各サブキャリアの送信電力制御量を示す。そして、送信電力制御命令部８２ｂは、制御コマンドの個数と合成コマンドの個数とに関する増減の判定を、増加又は減少が連続するその連の数ｉに合わせ、その増減の個数について上限値を設けるとともに、２の（ｉ−１）乗で増減させるようになっている。なお、連とは同一のものが繰り返されることを意味し、ｉは２以上の自然数を表す。
【０１０９】
例えば、サブキャリア番号０の制御コマンドがアップの場合に、そのアップ量を１（２の０乗）にし、サブキャリア番号１についてもアップだと、そのアップ量を２（２の１乗）にし、また、サブキャリア番号２についてもアップの場合には、アップの連の個数が２になるので、そのアップ量は４（２の２乗）となる。続いて、サブキャリア番号３がアップの場合に、アップ量の上限値Ｍが４の場合には、８にはならない。
【０１１０】
従って、この方法によると、フェージングが有する周波数選択性を利用しており、落ち込みの深いサブキャリアについては、大きなアップ量が設定され、また、落ち込みの浅いサブキャリアについて、小さいアップ量に設定されるのである。
このように、送信電力制御を行なうことによって、特性が向上する。また、このように、周波数選択性フェージングの影響が軽減されるようになる。
【０１１１】
なお、図１０において、マルチキャリア直接拡散送信機（マルチキャリア直接拡散送受信機５０ｂ）は、伝送すべきデータにパイロット信号を挿入し符号多重化し、ｎ本のサブキャリアの中から所定周波数離れたｋ本のサブキャリアのそれぞれに同一データを挿入して送信する送信部３０ｄと、送信部３０ｄに接続され、送信電力コマンドに従って送信電力の増減を制御しうる制御信号出力部１６と、ｋ本のサブキャリアにて伝送データに既知信号からなるパイロット信号を付加するパイロット信号挿入部１３ａ〜１３ｃとをそなえて構成されたことになる。
【０１１２】
そして、マルチキャリア直接拡散受信機（マルチキャリア直接拡散送受信機９０ｂ）は、符号多重化されてｋ本のサブキャリアを用いて送信された無線信号を受信し無線信号に起因する信号を出力する受信部３１ｃと、受信部３１ｃに接続され、ｋ本のサブキャリアのそれぞれについての品質を測定して個別測定結果を出力するとともに、ｋ本のサブキャリアを合成した合成キャリアについての品質を測定して合成測定結果を出力する測定部８０と、測定部８０に接続され、個別測定結果に基づきｋ本のサブキャリアのそれぞれの送信電力レベルについて、増加，減少又は維持を表す制御コマンドを出力するＴＰＣコマンド発生部８１と、測定部８０に接続され、合成測定結果に基づき合成キャリアについて、増加，減少又は維持を表す制御コマンドを合成コマンドとして出力する合成コマンド発生部８２ａと、ＴＰＣコマンド発生部８１と合成コマンド発生部８２ａとに接続され、送信データに関する送信電力制御を送信側に送信すべく、モニタ信号を用いてｋ本のサブキャリアそれぞれについて行なわれる品質測定結果と合成後の品質測定結果とを用いて、サブキャリア毎に独立した電力制御を行ない送信側へ制御コマンドを送信するＴＰＣ命令部８２ｂとをそなえて構成されたことになる。
【０１１３】
そして、このような構成によって、受信品質に基づいたフィードバックが行なわれる。図１８は本発明の第２実施形態に係る送受信方法のフローチャートである。まず、ｋ本のサブキャリアについて、品質測定が行なわれ（ステップＢ１）、ｋ本のサブキャリアに関する送信電力制御コマンドが生成される（ステップＢ２）。続いて、ｋ本のサブキャリアで伝送された信号が合成されるとともに、その信号について、品質測定がなされ（ステップＢ３）、合成された信号（合成後信号）に関する送信電力制御コマンドが生成される（ステップＢ４）。
【０１１４】
さらに、合成後の送信電力制御信号と、個別の電力制御信号とから、各サブキャリアについての送信電力信号が決定され（ステップＢ５）、受信側から送信側に対して、送信電力制御信号が送信されるのである（ステップＢ６）。そして、これらのステップＢ１〜ステップＢ６の処理は、繰り返される。
このようにして、時間変動のあるマルチパス伝搬路において、送信電力の不要な上昇を回避でき、受信側で適切な電力にて受信されるようになるので、電力効率が向上する。
【０１１５】
（Ｂ１）本発明の第２実施形態の第１変形例の説明
第２実施形態において、サブキャリア周波数の割り当てを変更することができる。
図１９は本発明の第２実施形態の第１変形例に係るマルチキャリア直接拡散送受信機５０ｅのブロック図である。この図１９に示すマルチキャリア直接拡散送受信機５０ｅは、ＣＤＭＡ方式を用いた移動無線通信システムに用いられるものであって、送信部３０ｅと、制御信号出力部１６ａと、受信部３０ｂと、アンテナ１９ｃ，１９ｄとをそなえて構成されている。また、本実施形態のデュープレックス方式はＦＤＤである。なお、図１９に示すもので、上述したものと同一の符号を有するものは同一のもの又は同様の機能を有するものなので、更なる説明を省略する。また、本変形例においても、マルチキャリア直接拡散送受信システム４０ｂ（図１０参照）と同様な構成をとる。
【０１１６】
ここで、制御信号出力部１６ａは、受信側が送信するサブキャリア周波数の変更命令に基づき、データを伝送するサブキャリアを異なるサブキャリアへ移転させるとともに、サブキャリアに異なる拡散符号を割り当てるものである。
ここで、制御信号出力部１６ａについて、図２０（ａ），（ｂ）を用いて説明する。図２０（ａ），（ｂ）はそれぞれ本発明の第２実施形態の第１変形例に係る送信スペクトラムの配置図であり、各スペクトラムは、それぞれ、１〜１２までの番号を付されている。なお、Δｆと付された周波数間隔は、サブキャリア間隔に等しい。
【０１１７】
まず、最初に、マルチキャリア直接拡散送受信機５０ｅは、図２０（ａ）に示す番号１，４，７，１０と付されたサブキャリアを用いてユーザーのデータを搬送している。そして、７と付されたサブキャリアが品質劣化すると、マルチキャリア直接拡散送受信機５０ｅは、図２０（ｂ）に示すように、７から８に、サブキャリアを変更するのである。
【０１１８】
図２１は本発明の第２実施形態の第１変形例に係る対向マルチキャリア直接拡散送受信機９０ｅのブロック図である。この図２１に示すマルチキャリア直接拡散送受信機９０ｅは、マルチキャリア直接拡散送受信機５０ｅ（図１９参照）に対向して配置され、符号多重化されて複数のサブキャリアを用いて送信された無線信号を受信するものであって、２本のアンテナ１９ｄと、受信部３１ｃと、測定部８０と、ＴＰＣコマンド発生部（制御コマンド発生部）８１と、合成コマンド発生部（合成後ＴＰＣ）８２ａと、送信電力制御命令部８２ｂと、しきい値比較／周波数変更命令生成部８２ｄと、送信部３１ｂと、アンテナ１９ｃとをそなえて構成されている。なお、図２１に示すもので、上述したものと同一の符号を有するものは同一のもの又は同様の機能を有するものなので、更なる説明を省略する。
【０１１９】
このしきい値比較／周波数変更命令生成部８２ｄは、測定部８０に接続され、測定結果と所定の品質基準値とを比較して、同一データを伝送するｋ本のサブキャリアのうち所定の品質基準値を満足しないサブキャリアについてマルチキャリア直接拡散送受信機５０ｅに対して、周波数変更を要求するものである。
このような構成によって、周波数変更が行なわれる。図２２は本発明の第２実施形態の第１変形例に係る送受信方法のフローチャートである。
【０１２０】
まず、ｋ本のサブキャリアについて、品質測定が行なわれ（ステップＤ１）、ｋ本のサブキャリアに関する送信電力制御コマンドが生成される（ステップＤ２）。続いて、ｋ本のサブキャリアで伝送された信号が合成されるとともに、その信号について、品質測定が行なわれ（ステップＤ３）、合成された信号（合成後信号）に関する送信電力制御コマンドが生成される（ステップＤ４）。
【０１２１】
さらに、合成後の送信電力制御信号と、個別の電力制御信号とから、各サブキャリアについての送信電力信号が決定され（ステップＤ５）、送信電力制御信号が送信され（ステップＤ６）、また、品質基準を満たさないサブキャリアは他のサブキャリアに変更され、伝送されるデータが移転される（ステップＤ７）。そして、これらのステップＤ１〜ステップＤ７の処理は、繰り返される。
【０１２２】
このように、時間変動のあるマルチパス伝搬路において、品質基準として所定のしきい値を設け、同一信号を伝送する複数のサブキャリアのうち、その品質基準を満足しないものに関して、異なる周波数のサブキャリアに移転させているので、送信側アンプの電力効率が向上する。
（Ｂ２）本発明の第２実施形態の第２変形例の説明
第２実施形態において、符号割り当てを変更することもできる。
【０１２３】
図２３は本発明の第２実施形態の第２変形例に係るマルチキャリア直接拡散送受信機５０ｆのブロック図であり、この図２３に示すマルチキャリア直接拡散送受信機５０ｆは、制御信号出力部１６ｂを有する。
ここで、送信部３０ｅ内の複数の乗算器１４ａは、伝送すべきデータに、ユーザー間で相互に直交する合成後直交符号を用いて符号化するようになっている。例えば２ユーザーの元データが、それぞれ、３本のサブキャリアを用いて分割されて送信される場合に、それら３本のサブキャリアを用いて搬送された３データを合成して元データがユーザー間で直交させるのである。すなわち、サブキャリア間では、相互に直交ではなく、ユーザー間で相互に直交している。
【０１２４】
また、図２４は本発明の第２実施形態の第２変形例に係る対向マルチキャリア直接拡散送受信機９０ｆのブロック図であり、受信部３１ｄを表示してある。
なお、図２３，図２４にそれぞれ示すもので、上述したものと同一の符号を有するものは同一のもの又は同様の機能を有するものなので、更なる説明を省略する。また、本変形例においても、マルチキャリア直接拡散送受信システム４０ｂ（図１０参照）と同様な構成をとる。
【０１２５】
このような構成によって、総サブキャリア数ｎ個のうち、周波数的に離れたｋ個のサブキャリアを用いて同一情報が伝送され、受信側にてこれらｋ個のサブキャリアにより伝送されたデータが合成されることによって、信号が検出される。図２５は本発明の第２実施形態の第２変形例に係る送信スペクトラムの配置図である。この図２５に示す１と付したサブキャリアは、ユーザーＡ，Ｂ，Ｃの３ユーザーを収容している。また、ユーザーＣが伝送するデータは、４，７，１０と付したサブキャリアに分割されて伝送されている。
【０１２６】
これにより、ユーザーＡとユーザーＢと、サブキャリア１，４，７，１０の全てを合成して得られたユーザーＣのデータとが、相互に直交する。
そして、このように、合成後直交符号を用いてユーザー識別が行なわれるので、割り当て可能な直交コード数が増加する。また、このように、直交コード数が増加するので、加入者増加を促進することができる。
【０１２７】
（Ｂ３）本発明の第２実施形態の第３変形例の説明
第２実施形態及びその第１変形例，第２変形例におけるデュープレックス方式は、ＦＤＤであったが、ＴＤＤにすることもできる。
図２６は本発明の第２実施形態の第３変形例に係るマルチキャリア直接拡散送受信システム４０ｃの構成図である。この図２６に示すマルチキャリア直接拡散送受信機５１ａ及びマルチキャリア直接拡散送受信機９１ａは、それぞれ、伝送すべきデータを符号多重化して複数のサブキャリアを用いて無線信号を送信するものであって、送信部３１ｂと、アンテナ１９ｅと、カプラ３２と、受信部３１ｃと、制御信号出力部１６と、測定部８０と、ＴＰＣコマンド発生部８１と、合成コマンド発生部８２ａと、送信電力制御命令部８２ｂとをそなえて構成されている。また、これらは、送信部分と受信部分とが対称形になっている。これらのもので上述したものと同一の符号を有するものは同一のもの又は同様の機能を有するものなので、重複した説明を省略する。
【０１２８】
このような構成により、デュープレックス方式がＦＤＤの場合と同様に送受信を行なえる。また、ＴＤＤを用いると、回路を対称に構成できるので、ＦＤＤで必要なフィードバック用の回路が不要となり、回路の小型化が達成される。
そして、このように、デュープレックス方式がＴＤＤなので、周波数利用効率が向上する。また、このようにして、周波数選択性フェージング下においても、高品質かつ高速なデータ伝送が可能となり、また、サブキャリアが通信中に適応的に選択されるので、効率的な周波数利用が可能となる。
【０１２９】
さらに、このようにして、ピーク送信電力と平均送信電力との差が小さくなるので、アンプの使用効率を向上させることが可能となる。
（Ｃ）本発明の第３実施形態の説明
受信側が各サブキャリアの品質を測定し、送信側がその品質測定結果に基づき、サブキャリアを変更する態様は、他の方式に用いることもできる。図２７は本発明の第３実施形態に係るマルチキャリア送受信システム４０ｆの構成図であり、本第３実施形態，第３実施形態の第１変形例及び第２変形例の各形態においても、同様なシステム構成になっている。また、このマルチキャリア送受信システム４０ｆは無線送受信が周波数選択性フェージング下で行なわれている。
【０１３０】
図２８は本発明の第３実施形態に係るマルチキャリア送受信機５２のブロック図であり、デュープレックス方式はＦＤＤである。この図２８に示すマルチキャリア送受信機５２は、伝送すべきデータをｍ本のサブキャリアを用いて、無線信号を送信するものであり、アンテナ１９ｃ，１９ｄと、シリアル・パラレル変換器１０と、ダミービット挿入部（抑圧ビット挿入部）８５と、送信部３３と、受信部３０ｂと、制御信号出力部１６とをそなえて構成されている。なお、ｍは２以上の自然数を表す。
【０１３１】
ここで、ダミービット挿入部８５は、ｎ本のサブキャリアに関する品質情報に基づきｍ本のサブキャリアのピーク電力を抑圧すべく、（ｍ−ｎ）本のサブキャリアにダミービットを挿入するものである。すなわち、ｎ本のサブキャリアには、伝送データが重畳され、残りの（ｍ−ｎ）本のサブキャリアには、ピーク抑圧用のダミービットが挿入されるようになっている。このダミービットにより、伝送データを挿入するときのピーク電力と、伝送データを挿入しないときのピーク電力との差を小さくできる。なお、ｎはｍ以下の自然数を表す。
【０１３２】
また、送信部３３は、ダミービット挿入部８５に接続され、伝送すべきデータを、選択されたｎ本のサブキャリアのそれぞれを用いて無線信号を送信するとともに、選択されなかった（ｍ−ｎ）本のサブキャリアにてパイロット信号を送信するものである。これら以外のもので、上述したものと同一の符号を有するものは同一のもの又は同様な機能を有するものなので、重複した説明を省略する。
【０１３３】
図２９は本発明の第３実施形態に係る送信スペクトラムの配置図である。隣接するサブキャリアの間隔は、（１＋α）×（１／ＴS）に設定されており、サブキャリアは、相互に重ならないように、配置されている。ここで、αはフィルタ１７ａ〜１７ｃとしてナイキストフィルタを用いた場合のロールオフ率を表し、ＴSは１シンボル時間である。
【０１３４】
また、図３０は本発明の第３実施形態に係る対向マルチキャリア送受信機のブロック図である。この図３０に示すマルチキャリア送受信機９２は、マルチキャリア送信機５２に対向して配置され、ｍ本のサブキャリアを用いて送信された無線信号を受信するものであって、アンテナ１９ｄ，１９ｃと、受信部３４と、測定部７３と、抽出部７４ａと、パラレル・シリアル変換器７５と、第２選択部７６と、送信部３１ｂとをそなえて構成されている。
【０１３５】
ここで、受信部３４は、ｍ本のサブキャリアを用いて送信された無線信号を受信し伝送データを検波するとともに、パイロット信号を抽出するものであって、複数の乗算器１４ｃと、フィルタ１７ａ〜１７ｃと、相関検波部６８ａ〜６８ｃとをそなえて構成されている。
また、測定部７３ａ〜７３ｃは、それぞれ、ｍ本のサブキャリアに含まれるパイロット信号を用いて、ｍ本のサブキャリアの品質を測定して測定結果を出力するものである。ここで、測定部７３ａ〜７３ｃは、それぞれ、品質を受信パイロット信号のシンボル点からのずれの合計値に基づいて測定しているが（図８（ｂ）参照）、電界強度を表すＲＳＳＩにより、サブキャリアの品質を測定することもできる。
【０１３６】
さらに、抽出部７４ａは、測定部７３ａ〜７３ｃに接続され、測定結果に基づきｍ本のサブキャリアからｎ本のサブキャリアを選択するとともに、ダミービットを削除して出力するものである。加えて、第２選択部７６は、測定部７３ａ〜７３ｃに接続され、選択されたｎ本のサブキャリアに関する品質情報をｎ本のサブキャリアにより送信側に送信するものである。
【０１３７】
また、これら以外で、同一の符号を有するものについての重複した説明は省略する。さらに、図２７に示すマルチキャリア直接拡散送受信システム４０ｆにおいて、第２選択部７６，送信部３１ｂ，アンテナ１９ｃ，１９ｄ，受信部３０ｂ，制御信号出力部１６が協同して、フィードバックループ１００ｂを形成している。
そして、図２７において、マルチキャリア送信機（マルチキャリア送受信機５２）は、ｍ本のサブキャリアを用いて伝送すべきデータを送信すべく、ｎ本のサブキャリアに関する品質情報に基づきｍ本のサブキャリアのピーク電力を抑圧すべく、（ｍ−ｎ）本のサブキャリアにダミービットを挿入するダミービット挿入部８５と、ダミービット挿入部８５に接続され、伝送すべきデータを、選択されたｎ本のサブキャリアのそれぞれを用いて無線信号を送信するとともに、選択されなかった（ｍ−ｎ）本のサブキャリアにてパイロット信号を送信する送信部３３とをそなえて構成されたことになる。加えて、この送信部３３は、伝送すべきデータに時間的に多重したパイロット信号を挿入して符号多重化するようになっている。
【０１３８】
同様に、マルチキャリア受信機（マルチキャリア送受信機９２）は、ｍ本のサブキャリアを用いて送信された無線信号を受信し伝送データを検波するとともに、パイロット信号を抽出する受信部３４と、この受信部３４に接続され、パイロット信号を用いて、ｍ本のサブキャリアの品質を測定して測定結果を出力する測定部７３ａ〜７３ｃと、測定部７３ａ〜７３ｃに接続され、測定結果に基づきｍ本のサブキャリアからｎ本のサブキャリアを選択するとともに、送信側が挿入したダミービットを削除して出力する抽出部７４ａと、測定部７３ａ〜７３ｃに接続され、選択されたｎ本のサブキャリアに関する品質情報をｎ本のサブキャリアにより送信側に送信する第２選択部７６とをそなえて構成されたことになる。
【０１３９】
そして、このような構成によって、ダミービットを挿入する送受信が行なわれる。図３１は本発明の第３実施形態に係る送受信方法のフローチャートである。
まず、ｍ本のサブキャリアについて、受信側にて品質測定が行なわれ（ステップＣ１）、その中から品質のよいｎ本のサブキャリアが選択されて情報が伝送される（ステップＣ２）。さらに、（ｍ−ｎ）本のサブキャリアに、ピークを抑圧するダミー信号が挿入され（ステップＣ３）、情報が送受信されるのである（ステップＣ４）。また、ステップＣ１〜ステップＣ４のループが繰り返される。
【０１４０】
これにより、送信する無線信号は、直交コードやロングコードを乗算されないで、１次変調だけで送信される。
このように、複数のサブキャリア帯域のうち、フェージングの影響を受けない周波数帯域を用いて通信し、かつ、平均電力とピーク電力との比率が小さくなるので、ピーク電力を抑圧でき、送信アンプを効率的に使用することができる。
【０１４１】
また、このようにして、システム仕様に依存しないで、送信電力を効率的に制御できる。
（Ｃ１）本発明の第３実施形態の第１変形例の説明
第３実施形態の周波数は、相互に重ならないように配置されているが、相互にサブキャリアが重なるＯＦＤＭ方式を用いることもできる。
【０１４２】
図３２は本発明の第３実施形態の第１変形例に係るマルチキャリア送受信機５０ｄのブロック図である。この図３２に示すマルチキャリア送受信機５０ｄは、伝送すべきデータをｍ本のサブキャリアを用いて、無線信号を送信するものであり、アンテナ１９ｃ，１９ｄと、ダミービット挿入部８５と、シリアル・パラレル変換器１０と、送信部３３ａと、受信部３０ｂとをそなえて構成されている。ここで、受信部３０ｂが受信したサブキャリアの品質測定結果は、ダミービット挿入部８５に入力され、これにより、フィードバックループが形成されている。なお、ｍは２以上の自然数を表す。
【０１４３】
図３３は本発明の第３実施形態の第１変形例に係る送信スペクトラムの配置図であり、サブキャリアは相互に重なりあっている。なお、この間隔は１／ＴSである。
図３４は本発明の第３実施形態の第１変形例に係るマルチキャリア送受信機９０ｄのブロック図である。この図３４に示すマルチキャリア送受信機９０ｄは、２本のアンテナ１９ｄと、アンテナ１９ｃと、受信部３４ａと、測定部７３ａ〜７３ｃと、パラレル・シリアル変換器７５と、抽出部（ダミービット削除）７４ａと、第２選択部（サブキャリア選択）７６と、送信部３１ｂと、遅延素子８７とをそなえて構成されている。
【０１４４】
ここで、２本のアンテナ１９ｄは、それぞれ、受信信号をＡブランチとＢブランチとして出力するものであり、協同でアンテナダイバーシティを行なうようになっている。また、受信部３４ａは、ｍ本のサブキャリアを用いて送信された無線信号を受信し伝送データを検波するとともに、パイロット信号を抽出するものであって、ＤＦＴ部（Discrete cosine Fourier Transform）８３と、複数の同期検波部２１と、ＭＲＣ部８４とをそなえて構成されている。
【０１４５】
ここで、ＤＦＴ部８３は、離散コサイン変換の演算を行なうものであり、同期検波部２１は、それぞれ、このＤＦＴ部８３から出力された信号を同期検波するものである。また、ＭＲＣ部８４は、同期検波部２１のそれぞれより出力された信号について、アンテナブランチＡ，Ｂのそれぞれからのスペースダイバーシティ信号を最大比合成するものである。
【０１４６】
これにより、受信信号は、ＤＦＴ部８３にて離散コサイン変換され、この出力は、それぞれ、同期検波部２１にて、同期検波され、また、ＭＲＣ部８４にて、最大比合成されるのである。
また、測定部７３ａ〜７３ｃは、それぞれ、マルチキャリア送受信機５０ｄが送信したｍ本のサブキャリアに含まれるパイロット信号を用いて、ｍ本のサブキャリアの品質を測定して測定結果を出力するものである。さらに、抽出部７４ａは、測定部７３ａ〜７３ｃに接続され、その測定結果に基づきｍ本のサブキャリアからｎ本のサブキャリアを選択するとともに、ダミービットを削除して出力するものである。そして、第２選択部７６は、測定部７３ａ〜７３ｃに接続され、選択されたｎ本のサブキャリアに関する品質情報をｎ本のサブキャリアにより送信側に対して送信するものである。さらに、遅延素子８７は、第２選択部７６に接続され、異なるパスを通って到来した各サブキャリア信号の時間遅延を調整するものである。
【０１４７】
そして、このような構成によって、送信側にて、ｎ本のサブキャリアには伝送すべきデータが重畳され、残りの（ｍ−ｎ）本のサブキャリアにはダミービットが挿入される。そして、これらのデータは、シリアル・パラレル変換により伝送速度を１／ｍにされ、変調されて送信される。一方、受信側にて、各サブキャリアは、検波後ダミービットが削除され、各サブキャリア毎に生じたタイミングのずれが調整されて復調出力される。
【０１４８】
このようにして、上述した利点に加えて、（ｍ−ｎ）本のサブキャリアにダミービットを挿入するので、ｍ本のサブキャリアのピーク電力が抑圧される。
（Ｃ２）本発明の第３実施形態の第２変形例の説明
本変形例は、デュープレックス方式としてＴＤＤが用いられた場合である。図３５は本発明の第３実施形態の第２変形例に係るマルチキャリア直接拡散送受信システム４０ｄの構成図である。この図３５に示すマルチキャリア直接拡散送受信機５１ｂ及びマルチキャリア直接拡散送受信機９１ｂは、それぞれ、マルチキャリア送受信機５０ｄ（図３２参照）と同様のものであって、アンテナ１９ｅと、ダミービット挿入部８５と、シリアル・パラレル変換器１０と、送信部３３ａと、カプラ３２と、受信部３４ａと、測定部７３ａ〜７３ｃと、第２選択部７６と、パラレル・シリアル変換器７５と、抽出部（ダミービット削除）７４ａとをそなえて構成されている。これらのものは、上述したものと同一の符号を有するものは同一のもの又は同様の機能を有するものである。また、これらは、送信部分と受信部分とが対称形になっている。
【０１４９】
そして、このような構成により、デュープレックス方式がＴＤＤの送受信がなされ、ピーク電力を抑圧できる。
これにより、回路を対称に構成できるので、ＦＤＤで必要とされるフィードバック用の回路が不要となり、回路の小型化が可能となる。また、このように、デュープレックス方式がＴＤＤなので、周波数利用効率が向上する。
【０１５０】
そして、このようにして、周波数選択性フェージング下において、高品質かつ高速なデータ伝送が可能となり、また、サブキャリアが通信中に適応的に選択されるので、効率的な周波数利用が可能となり、アンプの使用効率を向上させることが可能となる。
（Ｄ）本発明の第４実施形態の説明
本実施形態では、受信側における品質測定結果に基づき、送信側の拡散率を変化させるようにしている。ここで、拡散率とは、（総帯域／情報伝送速度）で定義される率である。
【０１５１】
図３６は本発明の第４実施形態に係るマルチキャリア直接拡散送受信システムの構成図である。この図３６に示すマルチキャリア直接拡散送受信システム４０ｅは、ＣＤＭＡ方式を用いた移動無線通信システムであって、マルチキャリア直接拡散送受信機５０ｇと、マルチキャリア直接拡散送受信機９０ｇとをそなえて構成されている。なお、上述したものと同一の符号を有するものは同一のもの又は同様の機能を有するものであるので、更なる説明を省略する。
【０１５２】
この図３６に示すマルチキャリア直接拡散送受信機５０ｇは、伝送すべきデータを符号多重化ｍ本のサブキャリアを用いて無線信号を送信するものであって、アンテナ１９ｃ，１９ｄと、送信部３０ａと、受信部３０ｂと、可変シリアル・パラレル変換器１０ａと、制御信号出力部１６とをそなえて構成されている。なお、ｍは２以上の自然数を表す。
【０１５３】
ここで、制御信号出力部１６は、マルチキャリア直接拡散送受信機９０ｇにおけるｍ本のサブキャリアの品質測定結果に基づきサブキャリア毎の拡散率を変化させて総伝送速度を維持したまま、測定結果のよいサブキャリアでは低い拡散率で、測定結果の悪いサブキャリアでは高い拡散率を設定しうるものである。また、送信部３０ａは、制御信号出力部１６に接続され、伝送すべきデータにパイロット信号を挿入して、階層化直交符号により設定された拡散率にて符号多重化し、無線信号を送信するものである。
【０１５４】
従って、マルチキャリア直接拡散送信機（マルチキャリア直接拡散送受信機５０ｇ）は、制御信号出力部１６と、送信部とをそなえて構成されたことになる。そして、この図３６に示すマルチキャリア直接拡散送受信機９０ｇは、マルチキャリア直接拡散送受信機５０ｇに対向して配置され、符号多重化されてｍ本のサブキャリアを用いて送信された無線信号を受信するものであって、アンテナ１９ｃ，１９ｄと、受信部３１ａと、測定部７３ａ〜７３ｃと、可変パラレル・シリアル変換器７５ａと、拡散率決定部７６ａと、送信部３１ｂとをそなえて構成されている。
【０１５５】
ここで、受信部３１ａは、ｍ本のサブキャリアからデータ及びｍ本のサブキャリアに含まれるパイロット信号を受信するものであり、測定部７３ａ〜７３ｃは、それぞれ、受信部３１ａに接続され、パイロット信号を用いてｍ本のサブキャリアの品質を測定して測定結果を出力するものであり、また、拡散率決定部７６ａは、測定部７３ａ〜７３ｃに接続され、拡散率情報をマルチキャリア直接拡散送受信機５０ｇに送信すべく、測定結果に基づき各サブキャリアの拡散率を決定するものである。
【０１５６】
従って、マルチキャリア直接拡散受信機（マルチキャリア直接拡散送受信機９０ｇ）は、受信部３１ａと、測定部７３ａ〜７３ｃと、拡散率決定部７６ａとをそなえて構成されたことになる。
さらに、図３６に示すマルチキャリア直接拡散送受信システム４０ｅにおいて、第２選択部７６，送信部３１ｂ，アンテナ１９ｃ，１９ｄ，受信部３０ｂ，制御信号出力部１６が協同して、フィードバックループ１００ｃを形成している。
【０１５７】
図３７は本発明の第４実施形態に係るマルチキャリア直接拡散送受信機５０ｇのブロック図であり、この図３７に示す乗算器１４ａにおいては、階層化直交コードが乗算され、また、乗算器１４ｂは、ロングコードが乗算されるようになっている。
また、図３８は本発明の第４実施形態に係る対向マルチキャリア直接拡散送受信機９０ｇのブロック図である。また、上述したものと同一の符号を有するものは同一のもの又は同様の機能を有するものであるので、更なる説明を省略する。
【０１５８】
このような構成によって、フィードバックを用いた送受信が行なわれる。図３９は本発明の第４実施形態に係る送受信方法のフローチャートである。まず、ｍ本のサブキャリアについて、品質測定が行なわれ（ステップＥ１）、ｍ本のサブキャリアの拡散率が決定され（ステップＥ２）、そして、情報（データ）が送受信されるのである（ステップＥ３）。
【０１５９】
このように、総伝送速度が維持されたまま、測定結果により拡散率を設定でき、効率的な送受信が行なえる。
また、このようにして、周波数選択性フェージング下において、高品質かつ高速なデータ伝送が可能となり、また、サブキャリアが通信中に適応的に選択されるので、効率的な周波数利用が可能となり、アンプの使用効率を向上させることが可能となる。
【０１６０】
（Ｄ１）本発明の第４実施形態の第１変形例の説明
第４実施形態のマルチキャリア直接拡散送受信システム４０ｅにて、拡散率を変化させることができる。
図４０（ａ）は拡散率がサブキャリア毎に同一のマルチキャリア直接拡散送受信機１５０の動作説明図であり、また、図４０（ｂ）は拡散率がサブキャリア毎に変化させた場合のマルチキャリア直接拡散送受信機５０ｇの動作説明図である。図４０（ａ）においては、左側から２０Ｍｂｐｓの速度を有するシリアルデータが入力され、シリアル・パラレル変換器１０にて、１：４のパラレルデータにされてから、５Ｍｂｐｓの伝送速度を有するサブキャリアが送信される。
【０１６１】
また、図４０（ｂ）においては、左側から２０Ｍｂｐｓの速度を有するデータが入力され、可変シリアル・パラレル変換器１０ａにて、例えば、２．５Ｍｂｐｓ，２．５Ｍｂｐｓ，５Ｍｂｐｓ，１０Ｍｂｐｓの伝送速度を有するサブキャリアが送信されるのである。なお、この伝送速度の値は、種々変更させることもでき、０Ｍｂｐｓ，５Ｍｂｐｓ，５Ｍｂｐｓ，１０Ｍｂｐｓにする等も可能である。
【０１６２】
これにより、マルチキャリア直接拡散送受信機５０ｇの制御信号出力部１６（図３７参照）は、受信側のｍ本のサブキャリアの品質測定結果に基づきサブキャリア毎の拡散率を変化させて総伝送速度を維持したまま、測定結果のよいサブキャリアでは低い拡散率で、測定結果の悪いサブキャリアでは高い拡散率を設定し、この制御信号出力部１６に接続された送信部３０ａにて、伝送すべきデータにパイロット信号が挿入されて、階層化直交符号により設定された拡散率にて符号多重化され、無線信号が送信されるのである。
【０１６３】
一方、マルチキャリア直接拡散送受信機９０ｇの受信部３１ａにて、マルチキャリア直接拡散送受信機５０ｇが符号多重化してｍ本のサブキャリアを用いて送信した無線信号が受信され伝送データが検波されるとともに、パイロット信号が抽出される。さらに、この受信部３１ａに接続された測定部７３ａ〜７３ｃにて、パイロット信号を用いて各サブキャリアの品質が測定されて測定結果が出力され、この受信部３１ａに接続された拡散率決定部７６ａにて、拡散率情報をマルチキャリア直接拡散送受信機５０ｇに送信すべく、測定結果に基づき各サブキャリアの拡散率が決定されるのである。
【０１６４】
そして、このような構成によって、送受信が行なわれ、上述したものと同一の効果が得られる。
（Ｅ）その他
本発明は上述した実施態様及びその変形例に限定されるものではなく、本発明の趣旨を逸脱しない範囲で、種々変形して実施することができる。
【０１６５】
また、本発明のマルチキャリア直接拡散送信機及びマルチキャリア直接拡散受信機は、それぞれ、基地局又は移動端末に使用することができる。例えば、図２において、マルチキャリア直接拡散送受信機５０は、移動端末として構成することもでき、この場合、複数の加算器１５が不要となり、他ユーザーからの信号を多重化しないで構成できる。
【０１６６】
さらに、ＦＤＤの場合において、品質測定結果を受信側から送信側に返信するためには、他の手段を用いることもできる。
また、第１実施形態の変調器１２ａ〜１２ｃの変調方式は、ＱＰＳＫ変調に限らずに、他の変調方式を使用することも可能である。
【０１６７】
【発明の効果】
以上詳述したように、本発明のマルチキャリア直接拡散送受信システムによれば、伝送すべきデータを符号多重化して複数のサブキャリアを用いて無線信号を送信するマルチキャリア直接拡散送信機と、マルチキャリア直接拡散送信機に対向して配置され、符号多重化されて複数のサブキャリアを用いて送信された無線信号を受信するマルチキャリア直接拡散受信機とを有し、マルチキャリア直接拡散送信機が、ｍ本のサブキャリアの中から品質測定結果のよいｎ本のサブキャリアを選択する第１選択部と、第１選択部に接続され、伝送すべきデータにパイロット信号を挿入し符号多重化し、選択されたｎ本のサブキャリアのそれぞれを用いて無線信号を送信するとともに、選択されなかった（ｍ−ｎ）本のサブキャリアにてパイロット信号を送信する送信部とをそなえ、マルチキャリア直接拡散受信機が、マルチキャリア直接拡散送信機が送信したｍ本のサブキャリアを受信し伝送データを検波するとともに、周期的に伝送されるパイロット信号を抽出する受信部と、受信部に接続され、ｎ本のサブキャリアのそれぞれに分割されて挿入されたデータを抽出する抽出部と、受信部に接続され、パイロット信号を用いてｍ本のサブキャリアのそれぞれについて品質測定を行なって測定結果を出力する測定部と、測定部に接続され、ｍ本のサブキャリアの中から、データが伝送されているｎ本のサブキャリアを、受信データに基づいて選択し、測定結果を送信側に周期的に送信する第２選択部とをそなえて構成されているので、周波数選択性フェージング下においても、高品質かつ高速なデータ伝送できる利点がある。
【０１６８】
また、本発明のマルチキャリア直接拡散送受信機によれば、マルチキャリア直接拡散送信部と、マルチキャリア直接拡散受信部とを有し、マルチキャリア直接拡散送信部が、第１選択部と、送信部とをそなえ、マルチキャリア直接拡散受信部が、受信部と、抽出部と、測定部と、第２選択部とをそなえて構成されているので、回路構成を対称的にできて小型化が可能となり、周波数利用効率が向上する利点がある。
【０１６９】
さらに、本発明のマルチキャリア直接拡散送信機によれば、第１選択部と、送信部とをそなえて構成されているので、ピーク送信電力と平均送信電力との差が小さくなり、アンプの使用効率を向上できる利点がある。
加えて、本発明のマルチキャリア直接拡散受信機によれば、受信部と、抽出部と、測定部と、第２選択部とをそなえて構成されているので、品質測定結果がフィードバックされて送信側が動的にサブキャリアを選択し、高品質のデータ伝送ができる利点がある。
【０１７０】
また、上記マルチキャリア直接拡散送信機の送信部は、選択情報が、制御情報の領域に挿入されるように構成されるとともに、マルチキャリア直接拡散受信機の抽出部が、制御情報に基づきｎ本のサブキャリアを選択するように構成されてもよく、このようにすれば、やはり、周波数選択性フェージング下において、高品質かつ高速なデータ伝送が可能となる利点がある。
【０１７１】
さらに、本発明に関連する技術のマルチキャリア直接拡散送受信システムによれば、マルチキャリア直接拡散送信機と、マルチキャリア直接拡散受信機とを有し、マルチキャリア直接拡散送信機が、送信部と、制御部と、付加部とをそなえ、マルチキャリア直接拡散受信機が、受信部と、測定部と、制御コマンド発生部と、合成コマンド発生部と、送信電力制御部とをそなえて構成されているので、アンプの使用効率を向上できる利点がある。
【０１７２】
そして、本発明に関連する技術のマルチキャリア直接拡散送受信機によれば、マルチキャリア直接拡散送信部と、マルチキャリア直接拡散受信部とを有し、マルチキャリア直接拡散送信部が、送信部と、制御部と、付加部とをそなえ、マルチキャリア直接拡散受信部が、受信部と、測定部と、制御コマンド発生部と、合成コマンド発生部と、制御コマンドと合成コマンドとの一致個数がしきい値を越える場合はｋ本のサブキャリアの全てを合成コマンドと一致させ、また、それ以外の場合は合成コマンドと一致するサブキャリアについては増減なしとする制御コマンドを発生させるとともに合成コマンドと一致しないサブキャリアについては合成コマンドと一致させ、これにより、ｋ本のサブキャリアについての判定を反転させるようにして増減動作させてマルチキャリア直接拡散送信機へ制御コマンドを送信する送信電力制御命令部とをそなえて構成されているので、周波数選択性フェージングの影響が軽減され、時間変動のあるマルチパス伝搬路においても、送信電力の不要な上昇を回避でき、受信側で適切な電力にて受信でき電力効率が向上する利点がある。
【０１７３】
さらに、本発明に関連する技術のマルチキャリア直接拡散送信機によれば、送信部と、制御部と、付加部とをそなえて構成されているので、品質基準を満足しないサブキャリアは異なる周波数に移転するので、送信側アンプの電力効率が向上する利点がある。
そして、本発明に関連する技術のマルチキャリア直接拡散受信機によれば、受信部と、測定部と、制御コマンド発生部と、合成コマンド発生部と、送信電力制御命令部とをそなえて構成されているので、やはり効率的に送信電力を調整できる。
【０１７４】
また、送信部が、伝送すべきデータに、合成後直交符号を用いて符号化するように構成したり、送信電力制御命令部が、一致個数としきい値とを比較して送信電力制御命令を出力するように構成したり、増減判定を、連続するその連の数ｉに合わせるように構成したり、送信側が受信側からのサブキャリア変更命令に基づきサブキャリアに異なる拡散符号を割り当てるように構成したり、また、受信側が、送信側に周波数変更命令を送信するように構成してもよく、このようにすれば、ユーザー識別を確実に行なえ、割り当て可能な直交コード数が増加するとともに、加入者の増加を促進できる利点がある。
【０１７５】
そして、本発明に関連する技術のマルチキャリア直接拡散送受信システムによれば、マルチキャリア送信機と、マルチキャリア受信機とを有し、マルチキャリア送信機が、抑圧ビット挿入部と、送信部とをそなえ、マルチキャリア受信機が、受信部と、測定部と、抽出部と、第２選択部とをそなえて構成されているので、フェージングの影響を受けない周波数帯域にて通信でき、平均電力とピーク電力との比率が小さくなり送信アンプを効率的に使用できる利点がある。
【０１７６】
さらに、測定部は、受信信号強度表示により、サブキャリアの品質を測定するように構成されたり、測定された測定結果に基づいてｎ本のサブキャリアを選択するように構成されてもよく、このようにすれば、やはり効率的に送信電力を調整できる。
そして、本発明に関連する技術のマルチキャリア送受信機によれば、マルチキャリア送信部と、マルチキャリア受信部とを有し、マルチキャリア送信部が、抑圧ビット挿入部と、送信部とをそなえ、マルチキャリア受信部が、受信部と、測定部と、抽出部と、第２選択部とをそなえて構成されているので、システム仕様に依存しないで、送信電力を効率的に制御できる利点がある。
【０１７７】
また、本発明に関連する技術のマルチキャリア送信機によれば、抑圧ビット挿入部と、送信部とをそなえて構成されており、送信部が伝送すべきデータに時間的に多重したパイロット信号を挿入して符号多重化するように構成されてもよいので、ｍ本のサブキャリアのピーク電力を抑圧できる利点がある。
そして、本発明に関連する技術のマルチキャリア受信機によれば、受信部と、測定部と、抽出部と、第２選択部とをそなえて構成されているので、やはり、サブキャリア毎に電力を調整できる利点がある。
【０１７８】
また、本発明に関連する技術のマルチキャリア直接拡散送受信システムによれば、マルチキャリア直接拡散送信機と、マルチキャリア直接拡散受信機とを有し、マルチキャリア直接拡散送信機が、制御部と、送信部とをそなえ、受信部と、測定部と、拡散率決定部とをそなえて構成されているので、送信電力を効率的に制御できる利点がある。
【０１７９】
また、上記のデュープレックス方式は、時間分割デュープレックスであってもよく、このようにすれば、回路構成が対称的になるので、周波数変換回路が不要となって回路の小型化が可能となり、周波数利用効率が向上する利点がある。
さらに、上記のデュープレックス方式は、周波数分割デュープレックスであってもよく、このようにすれば、やはり、送信電力を効率的に制御できる利点がある。
【０１８０】
そして、本発明に関連する技術のマルチキャリア直接拡散送受信機によれば、マルチキャリア直接拡散送信部と、マルチキャリア直接拡散受信部とを有し、マルチキャリア直接拡散送信部が、制御部と、送信部とをそなえ、マルチキャリア直接拡散受信部が、受信部と、測定部と、拡散率決定部とをそなえて構成されているので、総伝送速度が維持されたまま、測定結果により拡散率を設定でき、効率的な送受信が行なえる利点がある。
【０１８１】
加えて、本発明に関連する技術のマルチキャリア直接拡散送信機によれば、制御部と、送信部とをそなえて構成されており、また、本発明に関連する技術のマルチキャリア直接拡散受信機によれば、受信部と、測定部と、拡散率決定部とをそなえて構成されているので、やはり、周波数選択性フェージング下において、高品質かつ高速なデータ伝送が可能となる利点がある。
【０１８２】
そして、上記の無線送受信は周波数選択性フェージング下で行なわれてもよく、高品質かつ高速なデータ伝送が可能となる利点がある。
【図面の簡単な説明】
【図１】本発明の第１実施形態に係るマルチキャリア直接拡散送受信システムの構成図である。
【図２】本発明の第１実施形態に係るマルチキャリア直接拡散送受信機のブロック図である。
【図３】本発明の第１実施形態に係る送信スペクトラムの配置図である。
【図４】本発明の第１実施形態に係るマルチキャリア直接拡散送受信機のブロック図である。
【図５】本発明の第１実施形態に係る送受信方法のフローチャートである。
【図６】本発明の第１実施形態の第１変形例に係るマルチキャリア直接拡散送受信機のブロック図である。
【図７】本発明の第１実施形態の第１変形例に係る対向マルチキャリア直接拡散送受信機のブロック図である。
【図８】（ａ）は本発明の第１実施形態の第１変形例に係るデータフォーマットの一例を示す図であり、（ｂ）は本発明の第１実施形態の第１変形例に係る品質測定の説明図である。
【図９】本発明の第１実施形態の第２変形例に係るマルチキャリア直接拡散送受信システムの構成図である。
【図１０】本発明の第２実施形態に係るマルチキャリア直接拡散送受信システムの構成図である。
【図１１】（ａ），（ｂ）はそれぞれ４波システムの説明図である。
【図１２】（ａ），（ｂ）はそれぞれ、１／４波システムの説明図である。
【図１３】本発明の第２実施形態に係るマルチキャリア直接拡散送受信機のブロック図である。
【図１４】本発明の第２実施形態に係る送信スペクトラムの配置図である。
【図１５】本発明の第２実施形態に係る対向マルチキャリア直接拡散送受信機のブロック図である。
【図１６】本発明の第２実施形態に係るフェージングレベルの説明図である。
【図１７】（ａ），（ｂ）はそれぞれフラットフェージングにおける送信電力制御の説明図であり、（ｃ），（ｄ）はそれぞれ選択性フェージングにおける送信電力制御の説明図であり、（ｅ）は本発明の第２実施形態に係る増減方法の説明図である。
【図１８】本発明の第２実施形態に係る送受信方法のフローチャートである。
【図１９】本発明の第２実施形態の第１変形例に係るマルチキャリア直接拡散送受信機のブロック図である。
【図２０】（ａ），（ｂ）はそれぞれ本発明の第２実施形態の第１変形例に係る送信スペクトラムの配置図である。
【図２１】本発明の第２実施形態の第１変形例に係る対向マルチキャリア直接拡散送受信機のブロック図である。
【図２２】本発明の第２実施形態の第１変形例に係る送受信方法のフローチャートである。
【図２３】本発明の第２実施形態の第２変形例に係るマルチキャリア直接拡散送受信機のブロック図である。
【図２４】本発明の第２実施形態の第２変形例に係る対向マルチキャリア直接拡散送受信機のブロック図である。
【図２５】本発明の第２実施形態の第２変形例に係る送信スペクトラムの配置図である。
【図２６】本発明の第２実施形態の第３変形例に係るマルチキャリア直接拡散送受信システムの構成図である。
【図２７】本発明の第３実施形態に係るマルチキャリア送受信システムの構成図である。
【図２８】本発明の第３実施形態に係るマルチキャリア送受信機のブロック図である。
【図２９】本発明の第３実施形態に係る送信スペクトラムの配置図である。
【図３０】本発明の第３実施形態に係る対向マルチキャリア送受信機のブロック図である。
【図３１】本発明の第３実施形態に係る送受信方法のフローチャートである。
【図３２】本発明の第３実施形態の第１変形例に係るマルチキャリア送受信機のブロック図である。
【図３３】本発明の第３実施形態の第１変形例に係る送信スペクトラムの配置図である。
【図３４】本発明の第３実施形態の第１変形例に係るマルチキャリア送受信機のブロック図である。
【図３５】本発明の第３実施形態の第２変形例に係るマルチキャリア直接拡散送受信システムの構成図である。
【図３６】本発明の第４実施形態に係るマルチキャリア直接拡散送受信システムの構成図である。
【図３７】本発明の第４実施形態に係るマルチキャリア直接拡散送受信機のブロック図である。
【図３８】本発明の第４実施形態に係る対向マルチキャリア直接拡散送受信機のブロック図である。
【図３９】本発明の第４実施形態に係る送受信方法のフローチャートである。
【図４０】（ａ）は拡散率がサブキャリア毎に同一のマルチキャリア直接拡散送受信機の動作説明図であり、（ｂ）は拡散率がサブキャリア毎に変化させた場合のマルチキャリア直接拡散送受信機の動作説明図である。
【図４１】（ａ）は単一キャリアによるスペクトラム配置の模式図であり、（ｂ）はマルチキャリアによるスペクトラム配置の模式図である。
【符号の説明】
１０    シリアルパラレル変換器
１０ａ    可変シリアルパラレル変換器
１１    第１選択部
１２ａ〜１２ｃ    変調器
１３ａ〜１３ｃ，１３ｄ〜１３ｆ    パイロット信号挿入部
１４ａ，１４ｂ，１４ｃ    乗算器
１５，１９ａ    加算器
１７ａ〜１７ｃ，６７ａ〜６７ｃ    フィルタ
１８ａ〜１８ｃ    電力増減部
１９ｂ    アンプ
１９ｃ，１９ｄ，１９ｅ    アンテナ
１６，１６ａ    制御信号出力部
２０    パイロット信号抽出部
２０ａ    制御情報抽出部
２１    同期検波部
２２    逆ＤＦＴ部
２３，７５    パラレルシリアル変換器
３０ａ，３０ｃ，３０ｄ，３１ｂ，３０ｅ，３３，３３ａ    送信部
３０ｂ，３１ａ，３１ｃ，３１ｄ，３４，３４ａ    受信部
４０，４０ａ，４０ｂ，４０ｃ，４０ｄ，４０ｅ，４０ｆ    マルチキャリア直接拡散送受信システム
５０，５０ａ，５０ｂ，５０ｃ，５０ｅ，５０ｆ，５０ｇ，１５０，５１    マルチキャリア直接拡散送信機
５０ｄ，５２，９０ｄ，９２    マルチキャリア送受信機
６８ａ〜６８ｃ，６９ａ〜６９ｃ，７０ａ〜７０ｃ，６８ｄ〜６８ｆ，６９ｄ〜６９ｆ，７０ｄ〜７０ｆ，６８ｇ，６９ｇ，７０ｇ    相関検波部
７２ａ〜７２ｃ    Ｒａｋｅ合成部
７２ｄ〜７２ｆ    Ｒａｋｅ受信部
７３ａ〜７３ｃ，８０    測定部
７４，７４ａ    抽出部
７５ａ    可変パラレルシリアル変換器
７６    第２選択部
７６ａ    拡散率決定部
７９ａ    最大比合成部
７９ｂ    信号判定部
８０ａ〜８０ｃ    ＳＩＲ測定部
８０ｄ    合成後ＳＩＲ測定部
８１，８１ａ〜８１ｃ    ＴＰＣコマンド発生部
８２ａ    合成ＴＰＣコマンド発生部
８２ｂ    送信電力制御命令生成部
８２ｄ    しきい値比較／周波数変更命令生成部
８３    ＤＦＴ部
８４    ＭＲＣ部
８５    ダミービット挿入部
８７    遅延素子
９０，９０ａ，９０ｂ，９０ｃ，９０ｄ，９０ｅ，９０ｆ，９０ｇ，９１    マルチキャリア直接拡散受信機
１００，１００ａ，１００ｂ，１００ｃ    フィードバックループ
【図１】
0004313925.tif 000002
【図２】
0004313925.tif 000003
【図３】
0004313925.tif 000004
【図４】
0004313925.tif 000005
【図５】
0004313925.tif 000006
【図６】
0004313925.tif 000007
【図７】
0004313925.tif 000008
【図８】
0004313925.tif 000009
【図９】
0004313925.tif 000010
【図１０】
0004313925.tif 000011
【図１１】
0004313925.tif 000012
【図１２】
0004313925.tif 000013
【図１３】
0004313925.tif 000014
【図１４】
0004313925.tif 000015
【図１５】
0004313925.tif 000016
【図１６】
0004313925.tif 000017
【図１７】
0004313925.tif 000018
【図１８】
0004313925.tif 000019
【図１９】
0004313925.tif 000020
【図２０】
0004313925.tif 000021
【図２１】
0004313925.tif 000022
【図２２】
0004313925.tif 000023
【図２３】
0004313925.tif 000024
【図２４】
0004313925.tif 000025
【図２５】
0004313925.tif 000026
【図２６】
0004313925.tif 000027
【図２７】
0004313925.tif 000028
【図２８】
0004313925.tif 000029
【図２９】
0004313925.tif 000030
【図３０】
0004313925.tif 000031
【図３１】
0004313925.tif 000032
【図３２】
0004313925.tif 000033
【図３３】
0004313925.tif 000034
【図３４】
0004313925.tif 000035
【図３５】
0004313925.tif 000036
【図３６】
0004313925.tif 000037
【図３７】
0004313925.tif 000038
【図３８】
0004313925.tif 000039
【図３９】
0004313925.tif 000040
【図４０】
0004313925.tif 000041
【図４１】
0004313925.tif 000042